(57)【要約】【課題】外気圧が大きく変動した場合であっても、圧力制御室の絶対圧力を一定の目標設定圧力に保持することが可能な絶対圧力制御システム及び絶対圧力制御方法を提供する。【解決手段】絶対圧力制御システム１では、圧力制御室３は、圧力調整室２内に配置されている。制御部１５は、初期圧力制御において、まず、圧力調整室２及び圧力制御室３の絶対圧力を外気圧と目標設定圧力との間の調整圧力とする第１初期圧力制御を行う。次に制御部１５は、圧力調整室２の絶対圧力を前記調整圧力に維持しつつ、圧力制御室３の絶対圧力を前記調整圧力から目標設定圧力へと移行させる第２初期圧力制御を行う。また、制御部１５は、圧力保持制御において、圧力制御室３の絶対圧力を目標設定圧力で一定に推移させる第２圧力保持制御を行うに際し、圧力調整室２の絶対圧力を外気圧の変動に応じて外気圧と目標設定圧力との間の圧力で推移させる第１圧力保持制御を行う。【選択図】図１
2018128184.tif 000002
【特許請求の範囲】
【請求項１】
外部空間と区画された第１気密空間を画定する第１壁部に囲われた圧力調整室と、
前記第１気密空間に配置され、当該第１気密空間と区画された第２気密空間を画定する第２壁部に囲われ、圧力制御対象となる圧力制御室と、
前記圧力調整室及び前記圧力制御室の換気を行う換気機構と、
前記換気機構を制御し、前記圧力制御室の絶対圧力を目標設定圧力へ移行させる初期圧力制御と、前記外部空間の圧力である外気圧の変動に応じて前記圧力制御室の絶対圧力を前記目標設定圧力に保持させる圧力保持制御とを実行する制御部と、を備え、
前記初期圧力制御は、前記圧力調整室及び前記圧力制御室の絶対圧力を前記外気圧と前記目標設定圧力との間の調整圧力とする第１初期圧力制御と、前記圧力調整室の絶対圧力を前記調整圧力に維持しつつ、前記圧力制御室の絶対圧力を前記調整圧力から前記目標設定圧力へと移行させる第２初期圧力制御とを含み、
前記圧力保持制御は、前記圧力調整室の絶対圧力を前記外気圧の変動に応じて当該外気圧と前記目標設定圧力との間の圧力で推移させる第１圧力保持制御と、前記圧力制御室の絶対圧力を前記目標設定圧力で一定に推移させる第２圧力保持制御とを含む、絶対圧力制御システム。
【請求項２】
前記第１壁部及び前記第２壁部はそれぞれ、複数のパネルが連結されたパネル構造体によって構成され、
前記パネル構造体には、前記パネルを挟んだ両側の空間の圧力差に関する固有値として、前記圧力調整室及び前記圧力制御室の気密性を保持可能な限界圧力差が、予め設定されており、
前記制御部は、前記外部空間と前記第１気密空間との間の第１圧力差と、前記第１気密空間と前記第２気密空間との間の第２圧力差とが、前記限界圧力差以内となるように、前記初期圧力制御及び前記圧力保持制御を実行する、請求項１に記載の絶対圧力制御システム。
【請求項３】
前記圧力調整室は、前記第１壁部として前記外部空間に面した外周壁と、当該外周壁に対向した内周壁とを含む多重構造であって、前記外周壁により画定される第１調整室と、前記内周壁により画定され、前記第１調整室内に配置された第２調整室とで構成され、
前記圧力制御室は、前記第２調整室内に配置され、
前記制御部が実行する前記初期圧力制御において前記第１初期圧力制御は、前記第１調整室、前記第２調整室及び前記圧力制御室の絶対圧力を前記外気圧と前記目標設定圧力との間の第１調整圧力とした後、前記第２調整室及び前記圧力制御室の絶対圧力を前記第１調整圧力と前記目標設定圧力との間の第２調整圧力とする制御であり、
前記制御部が実行する前記圧力保持制御において前記第１圧力保持制御は、前記第１調整室の絶対圧力を前記外気圧の変動に応じて当該外気圧と前記目標設定圧力との間の第１圧力で推移させるとともに、前記第２調整室の絶対圧力を前記外気圧の変動に応じて前記第１圧力と前記目標設定圧力との間の第２圧力で推移させる制御である、請求項１に記載の絶対圧力制御システム。
【請求項４】
前記圧力制御室の温度及び湿度を調整可能な空調機を、更に備える請求項１〜３のいずれか１項に記載の絶対圧力制御システム。
【請求項５】
外部空間と区画された第１気密空間を画定する第１壁部に囲われた圧力調整室における、前記第１気密空間に配置され、当該第１気密空間と区画された第２気密空間を画定する第２壁部に囲われた圧力制御室の絶対圧力を、目標設定圧力に制御する絶対圧力制御方法であって、
前記圧力制御室の絶対圧力を前記目標設定圧力へ移行させる初期圧力制御工程と、
前記外部空間の圧力である外気圧の変動に応じて前記圧力制御室の絶対圧力を前記目標設定圧力に保持させる圧力保持制御工程と、を含み、
前記初期圧力制御工程は、
前記圧力調整室及び前記圧力制御室の絶対圧力を前記外気圧と前記目標設定圧力との間の調整圧力とする第１初期圧力制御工程と、
前記圧力調整室の絶対圧力を前記調整圧力に維持しつつ、前記圧力制御室の絶対圧力を前記調整圧力から前記目標設定圧力へと移行させる第２初期圧力制御とを含み、
前記圧力保持制御工程は、
前記圧力調整室の絶対圧力を前記外気圧の変動に応じて当該外気圧と前記目標設定圧力との間の圧力で推移させる第１圧力保持制御工程と、
前記圧力制御室の絶対圧力を前記目標設定圧力で一定に推移させる第２圧力保持制御工程とを含む、絶対圧力制御方法。
【発明の詳細な説明】
【技術分野】
【０００１】
本発明は、圧力制御対象となる圧力制御室を備えた絶対圧力制御システム、及び圧力制御室の絶対圧力を目標設定圧力に制御する絶対圧力制御方法に関する。
【背景技術】
【０００２】
平地の大気圧は、一定ではなく、例えば９７０ｈＰａ〜１０３０ｈＰａの範囲で変動する。大気圧（外気圧）の変動の影響を受け易い機器等を使用する半導体産業分野、医療分野、自動車産業分野等の多くの分野では、外気圧が変動しても一定の目標設定圧力に制御された圧力制御室を実現するための絶対圧力制御システムの提供が求められる。例えば、半導体産業分野において使用される光学式測長器は、周囲の気圧が変動すると測長誤差が生じる。このため、光学式測長器が設置される圧力制御室は、一定の目標設定圧力となるように、制御される必要がある。
【０００３】
ところで、圧力制御室は、既設建物への設置の要望が多い。この観点では、圧力制御室を鋼構造とした場合、既設建物への搬入の制約や床耐荷重の制約、あるいは施工時の溶接作業による防火性の制約など、多くの制約がある。このような制約を回避可能であり、且つ、外気圧が変動しても一定の目標設定圧力に制御された圧力制御室を実現することのできる技術が、特許文献１に開示されている。
【０００４】
特許文献１に開示される技術では、外部空間と区画された圧力制御室は、複数のパネルが連結されたパネル構造体によって構成されている。これにより、圧力制御室を鋼構造とした場合の制約を回避可能となる。そして、送風装置及び排気装置を用いて圧力制御室内を換気することにより、圧力制御室の絶対圧力が一定の目標設定圧力とされる。
【先行技術文献】
【特許文献】
【０００５】
【特許文献１】特許第４４１８７２３号公報
【発明の概要】
【発明が解決しようとする課題】
【０００６】
ところで、パネル構造体には、パネルを挟んだ両側の空間の圧力差に関して、圧力制御室の気密性を保持可能な限界圧力差がある。このため、圧力制御室の目標設定圧力と外気圧との圧力差が、パネル構造体の限界圧力差を超えると、パネルに撓み等が生じて圧力制御室の気密性を保持することができなくなる。すなわち、外気圧が大きく変動した場合には、圧力制御室の絶対圧力を一定の目標設定圧力に保持することができなくなる可能性がある。また、パネル構造体以外でも、圧力差に対して脆弱な構造体によって圧力制御室が構成される場合には、圧力制御室の気密性を保持可能な限界圧力差が設定されることになる。この場合にも、外気圧が大きく変動すると、圧力制御室の絶対圧力を一定の目標設定圧力に保持することができなくなる可能性がある。
【０００７】
本発明は、このような事情に鑑みてなされたものであり、その目的とするところは、圧力制御対象となる圧力制御室を備えた絶対圧力制御システムにおいて、外気圧が大きく変動した場合であっても、圧力制御室の絶対圧力を一定の目標設定圧力に保持することが可能な絶対圧力制御システム、及び絶対圧力制御方法を提供することにある。
【課題を解決するための手段】
【０００８】
本発明の一の局面に係る絶対圧力制御システムは、外部空間と区画された第１気密空間を画定する第１壁部に囲われた圧力調整室と、前記第１気密空間に配置され、当該第１気密空間と区画された第２気密空間を画定する第２壁部に囲われ、圧力制御対象となる圧力制御室と、前記圧力調整室及び前記圧力制御室の換気を行う換気機構と、前記換気機構を制御し、前記圧力制御室の絶対圧力を目標設定圧力へ移行させる初期圧力制御と、前記外部空間の圧力である外気圧の変動に応じて前記圧力制御室の絶対圧力を前記目標設定圧力に保持させる圧力保持制御とを実行する制御部と、を備える。そして、制御部により実行される前記初期圧力制御は、前記圧力調整室及び前記圧力制御室の絶対圧力を前記外気圧と前記目標設定圧力との間の調整圧力とする第１初期圧力制御と、前記圧力調整室の絶対圧力を前記調整圧力に維持しつつ、前記圧力制御室の絶対圧力を前記調整圧力から前記目標設定圧力へと移行させる第２初期圧力制御とを含む。また、制御部により実行される前記圧力保持制御は、前記圧力調整室の絶対圧力を前記外気圧の変動に応じて当該外気圧と前記目標設定圧力との間の圧力で推移させる第１圧力保持制御と、前記圧力制御室の絶対圧力を前記目標設定圧力で一定に推移させる第２圧力保持制御とを含む。
【０００９】
この絶対圧力制御システムによれば、外部空間の外気圧に対する絶対圧力の制御対象となる圧力制御室は、外部空間と区画された圧力調整室により画定される第１気密空間に配置されている。すなわち、外部空間と圧力制御室との間に圧力調整室が配置され、この圧力調整室によって圧力制御室が取り囲まれている。そして、圧力調整室及び圧力制御室の換気を行う換気機構は、制御部によって制御される。この制御部は、圧力制御室の絶対圧力を目標設定圧力へ移行させる初期圧力制御と、外気圧の変動に応じて圧力制御室の絶対圧力を目標設定圧力に保持させる圧力保持制御とを実行する。
【００１０】
ここで、制御部は、初期圧力制御において、まず、圧力調整室及び圧力制御室の絶対圧力を外気圧と目標設定圧力との間の調整圧力とする第１初期圧力制御を行う。次に制御部は、圧力調整室の絶対圧力を前記調整圧力に維持しつつ、圧力制御室の絶対圧力を前記調整圧力から目標設定圧力へと移行させる第２初期圧力制御を行う。また、制御部は、圧力保持制御において、圧力制御室の絶対圧力を目標設定圧力で一定に推移させる第２圧力保持制御を行うに際し、圧力調整室の絶対圧力を外気圧の変動に応じて外気圧と目標設定圧力との間の圧力で推移させる第１圧力保持制御を行う。これにより、圧力制御室の目標設定圧力と外気圧との圧力差の、圧力調整室及び圧力制御室の気密性を保持した状態での許容範囲を、第１壁部を挟んだ両側の外部空間と圧力調整室（第１気密空間）との間の圧力差と、第２壁部を挟んだ両側の圧力調整室と圧力制御室（第２気密空間）との間の圧力差との合計値にまで拡張することができる。従って、外気圧が大きく変動した場合であっても、圧力制御室の絶対圧力を一定の目標設定圧力に保持することが可能となる。
【００１１】
上記の絶対圧力制御システムにおいて、前記第１壁部及び前記第２壁部はそれぞれ、複数のパネルが連結されたパネル構造体によって構成され、前記パネル構造体には、前記パネルを挟んだ両側の空間の圧力差に関する固有値として、前記圧力調整室及び前記圧力制御室の気密性を保持可能な限界圧力差が、予め設定されており、前記制御部は、前記外部空間と前記第１気密空間との間の第１圧力差と、前記第１気密空間と前記第２気密空間との間の第２圧力差とが、前記限界圧力差以内となるように、前記初期圧力制御及び前記圧力保持制御を実行する。
【００１２】
この態様では、圧力調整室の第１壁部及び圧力制御室の第２壁部が、固有値として限界圧力差が設定されたパネル構造体によって構成されている。このような構成において、制御部は、第１壁部を挟んだ両側の外部空間と圧力調整室（第１気密空間）との間の第１圧力差と、第２壁部を挟んだ両側の圧力調整室と圧力制御室（第２気密空間）との間の第２圧力差とが、パネル構造体の限界圧力差以内となるように、初期圧力制御及び圧力保持制御を実行する。これにより、第１圧力差及び第２圧力差が限界圧力差を超えることがないので、パネル構造体を構成するパネルに許容できない程度の撓み等が生じることが抑止され、圧力調整室及び圧力制御室の気密性を保持することができる。
【００１３】
上記の絶対圧力制御システムにおいて、前記圧力調整室は、前記第１壁部として前記外部空間に面した外周壁と、当該外周壁に対向した内周壁とを含む多重構造であって、前記外周壁により画定される第１調整室と、前記内周壁により画定され、前記第１調整室内に配置された第２調整室とで構成されていてもよい。このとき、前記圧力制御室は、前記第２調整室内に配置されている。そして、前記制御部が実行する前記初期圧力制御において前記第１初期圧力制御は、前記第１調整室、前記第２調整室及び前記圧力制御室の絶対圧力を前記外気圧と前記目標設定圧力との間の第１調整圧力とした後、前記第２調整室及び前記圧力制御室の絶対圧力を前記第１調整圧力と前記目標設定圧力との間の第２調整圧力とする制御である。また、前記制御部が実行する前記圧力保持制御において前記第１圧力保持制御は、前記第１調整室の絶対圧力を前記外気圧の変動に応じて当該外気圧と前記目標設定圧力との間の第１圧力で推移させるとともに、前記第２調整室の絶対圧力を前記外気圧の変動に応じて前記第１圧力と前記目標設定圧力との間の第２圧力で推移させる制御である。
【００１４】
この態様では、圧力制御室を取り囲む圧力調整室が、第１調整室と当該第１調整室内に配置された第２調整室とで構成された多重構造となっており、圧力制御室が第２調整室内に配置されている。そして、制御部は、第１初期圧力制御において、第１調整室、第２調整室及び圧力制御室の絶対圧力を外気圧と目標設定圧力との間の第１調整圧力とした後、第２調整室及び圧力制御室の絶対圧力を第１調整圧力と目標設定圧力との間の第２調整圧力とする制御を行う。また、制御部は、第１圧力保持制御において、第１調整室の絶対圧力を外気圧の変動に応じて当該外気圧と目標設定圧力との間の第１圧力で推移させるとともに、第２調整室の絶対圧力を外気圧の変動に応じて第１圧力と目標設定圧力との間の第２圧力で推移させる制御を行う。これにより、圧力制御室の目標設定圧力と外気圧との圧力差の許容範囲を、外周壁を挟んだ両側の外部空間と第１調整室との間の圧力差と、内周壁を挟んだ両側の第１調整室と第２調整室との間の圧力差と、圧力制御室の第２壁部を挟んだ両側の第２調整室と圧力制御室との間の圧力差との合計値にまで拡張することができる。従って、圧力制御室の目標設定圧力と外気圧との圧力差の許容範囲を広げることができ、外気圧がより大きく変動した場合であっても、圧力制御室の絶対圧力を一定の目標設定圧力に保持することが可能となる。
【００１５】
上記の絶対圧力制御システムは、前記圧力制御室の温度及び湿度を調整可能な空調機を、更に備える構成としてもよい。
【００１６】
この態様では、空調機を配置することによって、圧力制御室の絶対圧力を一定の目標設定圧力に保持することに加えて、圧力制御室の温度及び湿度をも調整することができる。
【００１７】
本発明の他の局面に係る絶対圧力制御方法は、外部空間と区画された第１気密空間を画定する第１壁部に囲われた圧力調整室における、前記第１気密空間に配置され、当該第１気密空間と区画された第２気密空間を画定する第２壁部に囲われた圧力制御室の絶対圧力を、目標設定圧力に制御する方法であって、前記圧力制御室の絶対圧力を前記目標設定圧力へ移行させる初期圧力制御工程と、前記外部空間の圧力である外気圧の変動に応じて前記圧力制御室の絶対圧力を前記目標設定圧力に保持させる圧力保持制御工程と、を含む。前記初期圧力制御工程は、前記圧力調整室及び前記圧力制御室の絶対圧力を前記外気圧と前記目標設定圧力との間の調整圧力とする第１初期圧力制御工程と、前記圧力調整室の絶対圧力を前記調整圧力に維持しつつ、前記圧力制御室の絶対圧力を前記調整圧力から前記目標設定圧力へと移行させる第２初期圧力制御とを含む。前記圧力保持制御工程は、前記圧力調整室の絶対圧力を前記外気圧の変動に応じて当該外気圧と前記目標設定圧力との間の圧力で推移させる第１圧力保持制御工程と、前記圧力制御室の絶対圧力を前記目標設定圧力で一定に推移させる第２圧力保持制御工程とを含む。
【００１８】
この絶対圧力制御方法は、圧力調整室に取り囲まれた圧力制御室の絶対圧力を目標設定圧力へ移行させる初期圧力制御工程と、外気圧の変動に応じて圧力制御室の絶対圧力を目標設定圧力に保持させる圧力保持制御工程と、を含む。初期圧力制御工程では、まず、第１初期圧力制御工程において、圧力調整室及び圧力制御室の絶対圧力を外気圧と目標設定圧力との間の調整圧力とする制御が行われる。次に、第２初期圧力制御工程において、圧力調整室の絶対圧力を前記調整圧力に維持しつつ、圧力制御室の絶対圧力を前記調整圧力から目標設定圧力へと移行させる制御が行われる。また、圧力保持制御工程では、第２圧力保持制御工程において、圧力制御室の絶対圧力を目標設定圧力で一定に推移させる制御を行うに際し、第１圧力保持制御工程において、圧力調整室の絶対圧力を外気圧の変動に応じて外気圧と目標設定圧力との間の圧力で推移させる制御が行われる。これにより、圧力制御室の目標設定圧力と外気圧との圧力差の、圧力調整室及び圧力制御室の気密性を保持した状態での許容範囲を、第１壁部を挟んだ両側の外部空間と圧力調整室（第１気密空間）との間の圧力差と、第２壁部を挟んだ両側の圧力調整室と圧力制御室（第２気密空間）との間の圧力差との合計値にまで拡張することができる。従って、外気圧が大きく変動した場合であっても、圧力制御室の絶対圧力を一定の目標設定圧力に保持することが可能となる。
【発明の効果】
【００１９】
本発明によれば、外気圧が大きく変動した場合であっても、圧力制御室の絶対圧力を一定の目標設定圧力に保持することが可能な絶対圧力制御システム、及び絶対圧力制御方法を提供することができる。
【図面の簡単な説明】
【００２０】
【図１】第１実施形態に係る絶対圧力制御システムの構成を概略的に示す図である。
【図２】第１実施形態に係る絶対圧力制御システムのブロック図である。
【図３】パネルの構成を示す斜視図である。
【図４Ａ】第１実施形態に係る絶対圧力制御システムにおける外気圧の変動線、圧力調整室の圧力制御特性線、及び圧力制御室の圧力制御特性線を示すグラフである。
【図４Ｂ】第１実施形態に係る絶対圧力制御システムにおける外気圧の変動線、圧力調整室の圧力制御特性線、及び圧力制御室の圧力制御特性線を示すグラフである。
【図５】第１実施形態に係る絶対圧力制御システムにおける圧力制御動作を示すフローチャートである。
【図６】第２実施形態に係る絶対圧力制御システムの構成を概略的に示す図である。
【図７】第３実施形態に係る絶対圧力制御システムの構成を概略的に示す図である。
【図８】第３実施形態に係る絶対圧力制御システムのブロック図である。
【図９Ａ】第３実施形態に係る絶対圧力制御システムにおける外気圧の変動線、第１調整室の圧力制御特性線、第２調整室の圧力制御特性線、及び圧力制御室の圧力制御特性線を示すグラフである。
【図９Ｂ】第３実施形態に係る絶対圧力制御システムにおける外気圧の変動線、第１調整室の圧力制御特性線、第２調整室の圧力制御特性線、及び圧力制御室の圧力制御特性線を示すグラフである。
【発明を実施するための形態】
【００２１】
以下、本実施形態に係る絶対圧力制御システム、及び当該絶対圧力制御システムを用いた絶対圧力制御方法について、図面に基づいて説明する。
【００２２】
＜第１実施形態＞
図１は、第１実施形態に係る絶対圧力制御システム１の構成を概略的に示す図である。図２は、第１実施形態に係る絶対圧力制御システム１のブロック図である。絶対圧力制御システム１は、圧力調整室２と、圧力制御室３と、換気機構を構成する第１換気機構４及び第２換気機構５と、第１圧力差保持機構７と、第２圧力差保持機構８と、第１連通室９と、第２連通室１０と、制御部１５と、記憶部１６とを含んで構成される。この絶対圧力制御システム１は、圧力調整室２の外側の外部空間Ｓ１の圧力である外気圧が変動しても、圧力制御室３の絶対圧力が一定の目標設定圧力に保持されるように制御するシステムである。なお、圧力制御室３の目標設定圧力は、絶対圧力制御システム１の管理者によって予め設定されるものであり、記憶部１６に記憶される。
【００２３】
圧力調整室２は、外部空間Ｓ１と区画された第１気密空間Ｓ２を画定する第１壁部２Ａに囲われた気密室である。圧力調整室２は、第１壁部２Ａによって四方が取り囲まれた箱形である。圧力制御室３は、圧力制御対象となる気密室である。圧力制御室３は、第１気密空間Ｓ２に配置され、当該第１気密空間Ｓ２と区画された第２気密空間Ｓ３を画定する第２壁部３Ａで囲われたものである。圧力制御室３は、第２壁部３Ａによって四方が取り囲まれた箱形であり、複数の人を収容可能な大きさに形成される。外部空間Ｓ１と圧力制御室３との間に圧力調整室２が配置され、この圧力調整室２によって圧力制御室３が取り囲まれている。
【００２４】
本実施形態では、圧力調整室２を構成する第１壁部２Ａと、圧力制御室３を構成する第２壁部３Ａとがそれぞれ、パネル構造体によって構成されている。図３は、パネル構造体を構成するパネルＰＮの一例を示す斜視図である。第１壁部２Ａ及び第２壁部３Ａを構成するパネル構造体は、図３に示すパネルＰＮが複数連結された構造体である。
【００２５】
パネルＰＮは、例えば、発泡材を薄い鋼板で挟んだ構造を有する、矩形板状の断熱パネルである。パネルＰＮには、その外周端縁に嵌合部ＰＮ１が形成されている。パネルＰＮにおいて、嵌合部ＰＮ１は、凸部ＰＮ１ａと凹部ＰＮ１ｂとが交互に繰り返された構造となっている。第１壁部２Ａ及び第２壁部３Ａを構成するパネル構造体は、隣接するパネルＰＮの嵌合部ＰＮ１同士が嵌合されて連結されることにより、組み立てられる。
【００２６】
このようなパネルＰＮが複数連結されたパネル構造体には、パネルＰＮを挟んだ両側の空間の圧力差に関する固有値として、圧力調整室２及び圧力制御室３の気密性を保持可能な限界圧力差が、予め設定されている。ここで、パネル構造体の限界圧力差とは、パネルＰＮを挟んだ両側の空間の圧力差において、パネルＰＮにパネル構造体の気密性を破る程度以上の撓み等が生じない、あるいは、パネル目地のシール切れが生じない限界の圧力差を表す。換言すれば、パネルＰＮを挟んだ両側の空間の圧力差がパネル構造体の限界圧力差を超えると、パネルＰＮに許容できない程度の撓みやパネル目地のシール切れ等が生じ、圧力調整室２及び圧力制御室３の気密性を保持することができなくなる。なお、パネル構造体の限界圧力差は、概ねパネルＰＮの厚みと相関関係があり、パネルＰＮの厚みを厚くすることによって限界圧力差を大きくすることができる。また、パネル構造体の限界圧力差は、記憶部１６に記憶されている。
【００２７】
また、図１に示すように、圧力調整室２の第１壁部２Ａには、外部空間Ｓ１の外気圧を検出するための第１圧力計１３Ａと、圧力調整室２内の絶対圧力を検出するための第２圧力計１３Ｂとが、取り付けられている。更に、圧力制御室３の第２壁部３Ａには、圧力制御室３内の絶対圧力を検出するための第３圧力計１３Ｃが、取り付けられている。これらの第１圧力計１３Ａ、第２圧力計１３Ｂ及び第３圧力計１３Ｃの検出結果は、後述の制御部１５に入力される。
【００２８】
第１換気機構４は、外部空間Ｓ１と圧力調整室２との間の換気を行う機構である。第１換気機構４は、第１送風装置４１と第１排気装置４２とを含んで構成される。
【００２９】
第１送風装置４１は、第１送風用ダクトＤ１と、第１インバータ４１１と、第１送風機４１２と、第１送風用モータダンパ４１３とを含む。第１送風用ダクトＤ１は、外部空間Ｓ１と圧力調整室２の第１気密空間Ｓ２とを連通する第１送風路を画定するダクトである。第１インバータ４１１は、第１送風機４１２の出力を調整するものであり、後述の制御部１５から指令信号を受信し、その指令信号に基づき第１送風機４１２の出力を調整する。第１送風機４１２は、第１送風用ダクトＤ１に接続され、外部空間Ｓ１に存在する空気を、第１送風用ダクトＤ１を介して圧力調整室２内に送風する。第１送風機４１２は、外部空間Ｓ１に配置されており、例えば、送風ファンやエアコンプレッサ等により実現される。第１送風用モータダンパ４１３は、第１送風用ダクトＤ１に取り付けられたモータダンパであり、第１送風用ダクトＤ１を通過する単位時間当たりの空気量を調整する。第１送風用モータダンパ４１３は、後述の制御部１５から指令信号を受信し、その指令信号に基づき第１送風用ダクトＤ１における第１送風路の開度（流路断面積）を調整することにより、第１送風用ダクトＤ１を通過する空気量を調整する。このように構成される第１送風装置４１では、第１インバータ４１１により第１送風機４１２の出力が調整され、且つ、第１送風用モータダンパ４１３により第１送風用ダクトＤ１の開度が調整されることにより、第１送風機４１２により圧力調整室２内に送風する空気量を任意に制御することができる。
【００３０】
第１排気装置４２は、第１排気用ダクトＤ２と、第２インバータ４２１と、第１排気機４２２と、第１排気用モータダンパ４２３とを含む。第１排気用ダクトＤ２は、外部空間Ｓ１と圧力調整室２の第１気密空間Ｓ２とを連通する第１排気路を画定するダクトである。第２インバータ４２１は、第１排気機４２２の出力を調整するものであり、後述の制御部１５から指令信号を受信し、その指令信号に基づき第１排気機４２２の出力を調整する。第１排気機４２２は、第１排気用ダクトＤ２に接続され、圧力調整室２内に存在する空気を、第１排気用ダクトＤ２を介して外部空間Ｓ１に排気する。第１排気機４２２は、外部空間Ｓ１に配置されており、例えば、排気ファンや真空ポンプ等により実現される。第１排気用モータダンパ４２３は、第１排気用ダクトＤ２に取り付けられたモータダンパであり、第１排気用ダクトＤ２を通過する単位時間当たりの空気量を調整する。第１排気用モータダンパ４２３は、後述の制御部１５から指令信号を受信し、その指令信号に基づき第１排気用ダクトＤ２における第１排気路の開度（流路断面積）を調整することにより、第１排気用ダクトＤ２を通過する空気量を調整する。このように構成される第１排気装置４２では、第２インバータ４２１により第１排気機４２２の出力が調整され、且つ、第１排気用モータダンパ４２３により第１排気用ダクトＤ２の開度が調整されることにより、第１排気機４２２により圧力調整室２から排気する空気量を任意に制御することができる。
【００３１】
第２換気機構５は、圧力調整室２と圧力制御室３との間の換気を行う機構である。第２換気機構５は、第２送風装置５１と第２排気装置５２とを含んで構成される。
【００３２】
第２送風装置５１は、第２送風用ダクトＤ３と、第３インバータ５１１と、第２送風機５１２と、第２送風用モータダンパ５１３とを含む。第２送風用ダクトＤ３は、圧力調整室２の第１気密空間Ｓ２と圧力制御室３の第２気密空間Ｓ３とを連通する第２送風路を画定するダクトである。第３インバータ５１１は、第２送風機５１２の出力を調整するものであり、後述の制御部１５から指令信号を受信し、その指令信号に基づき第２送風機５１２の出力を調整する。第２送風機５１２は、第２送風用ダクトＤ３に接続され、圧力調整室２内に存在する空気を、第２送風用ダクトＤ３を介して圧力制御室３内に送風する。この第２送風機５１２は、圧力調整室２の第１気密空間Ｓ２に配置されており、例えば、送風ファンやエアコンプレッサ等により実現される。第２送風用モータダンパ５１３は、第２送風用ダクトＤ３に取り付けられたモータダンパであり、第２送風用ダクトＤ３を通過する単位時間当たりの空気量を調整する。第２送風用モータダンパ５１３は、後述の制御部１５から指令信号を受信し、その指令信号に基づき第２送風用ダクトＤ３における第２送風路の開度（流路断面積）を調整することにより、第２送風用ダクトＤ３を通過する空気量を調整する。このように構成される第２送風装置５１では、第３インバータ５１１により第２送風機５１２の出力が調整され、且つ、第２送風用モータダンパ５１３により第２送風用ダクトＤ３の開度が調整されることにより、第２送風機５１２により圧力制御室３内に送風する空気量を任意に制御することができる。
【００３３】
第２排気装置５２は、第２排気用ダクトＤ４と、第４インバータ５２１と、第２排気機５２２と、第２排気用モータダンパ５２３とを含む。第２排気用ダクトＤ４は、圧力調整室２の第１気密空間Ｓ２と圧力制御室３の第２気密空間Ｓ３とを連通する第２排気路を画定するダクトである。第４インバータ５２１は、第２排気機５２２の出力を調整するものであり、後述の制御部１５から指令信号を受信し、その指令信号に基づき第２排気機５２２の出力を調整する。第２排気機５２２は、第２排気用ダクトＤ４に接続され、圧力制御室３内に存在する空気を、第２排気用ダクトＤ４を介して圧力調整室２内に排気する。この第２排気機５２２は、圧力調整室２の第１気密空間Ｓ２に配置されており、例えば、排気ファンや真空ポンプ等により実現される。第２排気用モータダンパ５２３は、第２排気用ダクトＤ４に取り付けられたモータダンパであり、第２排気用ダクトＤ４を通過する単位時間当たりの空気量を調整する。第２排気用モータダンパ５２３は、後述の制御部１５から指令信号を受信し、その指令信号に基づき第２排気用ダクトＤ４における第２排気路の開度（流路断面積）を調整することにより、第２排気用ダクトＤ４を通過する空気量を調整する。このように構成される第２排気装置５２では、第４インバータ５２１により第２排気機５２２の出力が調整され、且つ、第２排気用モータダンパ５２３により第２排気用ダクトＤ４の開度が調整されることにより、第２排気機５２２により圧力制御室３から排気する空気量を任意に制御することができる。
【００３４】
第１圧力差保持機構７は、圧力調整室２の第１壁部２Ａに配設され、第１換気機構４の異常時に作動する機構である。第１圧力差保持機構７は、第１換気機構４の異常時において、外部空間Ｓ１と圧力調整室２の第１気密空間Ｓ２との間の第１圧力差を、第１壁部２Ａを構成するパネル構造体の限界圧力差以内に保持する。これにより、第１換気機構４の異常時において、第１圧力差が限界圧力差を超えることがないので、パネル構造体を構成するパネルＰＮに許容できない程度の撓み等が生じることが抑止され、圧力調整室２の気密性を保持することができる。この第１圧力差保持機構７は、図１に示すように、第１チャッキダンパ７１と、第２チャッキダンパ７２とを含んで構成される。
【００３５】
第１チャッキダンパ７１は、外部空間Ｓ１と圧力調整室２の第１気密空間Ｓ２とを連通する流路を画定するダクトＤ７に取り付けられた、差圧で作動する機械式の逆流防止ダンパである。第１チャッキダンパ７１は、圧力調整室２の圧力が外部空間Ｓ１の外気圧よりも高い場合に、外部空間Ｓ１と圧力調整室２の第１気密空間Ｓ２との間の第１圧力差がパネル構造体の限界圧力差を超えず、第１圧力差が限界圧力差以内に保持されるように、ウエイトを調整する。第１チャッキダンパ７１が作動すると、外部空間Ｓ１から圧力調整室２への空気の逆流が防止された状態で、圧力調整室２内の空気が外部空間Ｓ１へと排気され、第１圧力差が限界圧力差以内に保持される。
【００３６】
第２チャッキダンパ７２は、外部空間Ｓ１と圧力調整室２の第１気密空間Ｓ２とを連通する流路を画定するダクトＤ８に取り付けられた、差圧で作動する機械式の逆流防止ダンパである。第２チャッキダンパ７２は、圧力調整室２の圧力が外部空間Ｓ１の外気圧よりも低い場合に、外部空間Ｓ１と圧力調整室２の第１気密空間Ｓ２との間の第１圧力差がパネル構造体の限界圧力差を超えず、第１圧力差が限界圧力差以内に保持されるように、ウエイトを調整する。第２チャッキダンパ７２が作動すると、圧力調整室２から外部空間Ｓ１への空気の逆流が防止された状態で、外部空間Ｓ１の空気が圧力調整室２内へと給気され、第１圧力差が限界圧力差以内に保持される。
【００３７】
第２圧力差保持機構８は、圧力制御室３の第２壁部３Ａに配設され、第２換気機構５の異常時に作動する機構である。第２圧力差保持機構８は、第２換気機構５の異常時において、圧力調整室２の第１気密空間Ｓ２と圧力制御室３の第２気密空間Ｓ３との間の第２圧力差を、第２壁部３Ａを構成するパネル構造体の限界圧力差以内に保持する。これにより、第２換気機構５の異常時において、第２圧力差が限界圧力差を超えることがないので、パネル構造体を構成するパネルＰＮに許容できない程度の撓み等が生じることが抑止され、圧力制御室３の気密性を保持することができる。この第２圧力差保持機構８は、図１に示すように、第３チャッキダンパ８１と、第４チャッキダンパ８２とを含んで構成される。
【００３８】
第３チャッキダンパ８１は、圧力調整室２の第１気密空間Ｓ２と圧力制御室３の第２気密空間Ｓ３とを連通する流路を画定するダクトＤ９に取り付けられた、差圧で作動する機械式の逆流防止ダンパである。第３チャッキダンパ８１は、圧力制御室３の圧力が圧力調整室２の圧力よりも高い場合に、圧力調整室２の第１気密空間Ｓ２と圧力制御室３の第２気密空間Ｓ３との間の第２圧力差がパネル構造体の限界圧力差を超えず、第２圧力差が限界圧力差以内に保持されるように、ウエイトを調整する。第３チャッキダンパ８１が作動すると、圧力調整室２から圧力制御室３への空気の逆流が防止された状態で、圧力制御室３内の空気が圧力調整室２へと排気され、第２圧力差が限界圧力差以内に保持される。
【００３９】
第４チャッキダンパ８２は、圧力調整室２の第１気密空間Ｓ２と圧力制御室３の第２気密空間Ｓ３とを連通する流路を画定するダクトＤ１０に取り付けられた、差圧で作動する機械式の逆流防止ダンパである。第４チャッキダンパ８２は、圧力制御室３の圧力が圧力調整室２の圧力よりも低い場合に、圧力調整室２の第１気密空間Ｓ２と圧力制御室３の第２気密空間Ｓ３との間の第２圧力差がパネル構造体の限界圧力差を超えず、第２圧力差が限界圧力差以内に保持されるように、ウエイトを調整する。第４チャッキダンパ８２が作動すると、圧力制御室３から圧力調整室２への空気の逆流が防止された状態で、圧力調整室２内の空気が圧力制御室３へと給気され、第２圧力差が限界圧力差以内に保持される。
【００４０】
第１連通室９は、外部空間Ｓ１と圧力調整室２の第１気密空間Ｓ２とを連通する第１連通空間Ｓ４を画定する第３壁部９Ａに囲われた気密室である。第１連通室９は、人が通行可能な大きさに形成され、圧力調整室２に対する人の入退室用の通路となる。第１連通室９の第３壁部９Ａには、外部空間Ｓ１に面して開口した第１開口部９Ｂと、第１気密空間Ｓ２に面して開口した第２開口部９Ｃとが形成されている。また、第１連通室９は、第１開口部９Ｂを開閉可能な第１扉体９１と、第２開口部９Ｃを開閉可能な第２扉体９２とを有する。なお、第１連通室９の第３壁部９Ａにおいて、第１開口部９Ｂの開口周縁部には第１扉体９１との間のシール性を確保するための第１シール部材９１１が取り付けられ、第２開口部９Ｃの開口周縁部には第２扉体９２との間のシール性を確保するための第２シール部材９２１が取り付けられている。
【００４１】
また、図１に示すように、第１連通室９の第３壁部９Ａには、第１扉体９１の近傍において、外部空間Ｓ１側に突出して電動バルブ１２Ａが取り付けられ、第１連通空間Ｓ４側に突出して電動バルブ１２Ｈが取り付けられている。これらの電動バルブ１２Ａ、１２Ｈは、外部空間Ｓ１と第１連通室９の第１連通空間Ｓ４の圧力を均圧化するときに作動させるバルブである。更に、第１連通室９の第３壁部９Ａには、第２扉体９２の近傍において、第１連通空間Ｓ４側に突出して電動バルブ１２Ｂが取り付けられ、第１気密空間Ｓ２側に突出して電動バルブ１２Ｇが取り付けられている。これらの電動バルブ１２Ｂ、１２Ｇは、第１連通室９の第１連通空間Ｓ４と圧力調整室２の第１気密空間Ｓ２の圧力を均圧化するときに作動させるバルブである。
【００４２】
外部空間Ｓ１から圧力調整室２への人の入室手順は、次の通りである。まず、第１扉体９１及び第２扉体９２が閉鎖された状態で電動バルブ１２Ａを開放側へ作動させて、外部空間Ｓ１と第１連通室９の第１連通空間Ｓ４の圧力を均圧化させる。次に、第１扉体９１を開放して第１連通室９に人が入室した後、第１扉体９１を閉鎖する。第１扉体９１が閉鎖されると電動バルブ１２Ａは、自動的に閉鎖側へ作動する。次に、電動バルブ１２Ｂを開放側へ作動させて、第１連通室９の第１連通空間Ｓ４と圧力調整室２の第１気密空間Ｓ２の圧力を均圧化させる。次に、第２扉体９２を開放して圧力調整室２に人が入室した後、第２扉体９２を閉鎖する。第２扉体９２が閉鎖されると電動バルブ１２Ｂは、自動的に閉鎖側へ作動する。
【００４３】
一方、圧力調整室２から外部空間Ｓ１への人の退室手順は、次の通りである。まず、第１扉体９１及び第２扉体９２が閉鎖された状態で電動バルブ１２Ｇを開放側へ作動させて、第１連通室９の第１連通空間Ｓ４と圧力調整室２の第１気密空間Ｓ２の圧力を均圧化させる。次に、第２扉体９２を開放して圧力調整室２から人が退室して第１連通室９に入室した後、第２扉体９２を閉鎖する。第２扉体９２が閉鎖されると電動バルブ１２Ｇは、自動的に閉鎖側へ作動する。次に、電動バルブ１２Ｈを開放側へ作動させて、外部空間Ｓ１と第１連通室９の第１連通空間Ｓ４の圧力を均圧化させる。次に、第１扉体９１を開放して外部空間Ｓ１側へ人が移動した後、第１扉体９１を閉鎖する。第１扉体９１が閉鎖されると電動バルブ１２Ｈは、自動的に閉鎖側へ作動する。
【００４４】
第２連通室１０は、圧力調整室２の第１気密空間Ｓ２と圧力制御室３の第２気密空間Ｓ３とを連通する第２連通空間Ｓ５を画定する第４壁部１０Ａに囲われた気密室である。第２連通室１０は、人が通行可能な大きさに形成され、圧力制御室３に対する人の入退室用の通路となる。第２連通室１０の第４壁部１０Ａには、第１気密空間Ｓ２に面して開口した第３開口部１０Ｂと、第２気密空間Ｓ３に面して開口した第４開口部１０Ｃとが形成されている。また、第２連通室１０は、第３開口部１０Ｂを開閉可能な第３扉体１０１と、第４開口部１０Ｃを開閉可能な第４扉体１０２とを有する。なお、第２連通室１０の第４壁部１０Ａにおいて、第３開口部１０Ｂの開口周縁部には第３扉体１０１との間のシール性を確保するための第３シール部材１０１１が取り付けられ、第４開口部１０Ｃの開口周縁部には第４扉体１０２との間のシール性を確保するための第４シール部材１０２１が取り付けられている。
【００４５】
また、図１に示すように、第２連通室１０の第４壁部１０Ａには、第３扉体１０１の近傍において、第１気密空間Ｓ２側に突出して電動バルブ１２Ｃが取り付けられ、第２連通空間Ｓ５側に突出して電動バルブ１２Ｆが取り付けられている。これらの電動バルブ１２Ｃ、１２Ｆは、圧力調整室２の第１気密空間Ｓ２と第２連通室１０の第２連通空間Ｓ５の圧力を均圧化するときに作動させるバルブである。更に、第２連通室１０の第４壁部１０Ａには、第４扉体１０２の近傍において、第２連通空間Ｓ５側に突出して電動バルブ１２Ｄが取り付けられ、第２気密空間Ｓ３側に突出して電動バルブ１２Ｅが取り付けられている。これらの電動バルブ１２Ｄ、１２Ｅは、第２連通室１０の第２連通空間Ｓ５と圧力制御室３の第２気密空間Ｓ３の圧力を均圧化するときに作動させるバルブである。
【００４６】
圧力調整室２から圧力制御室３への人の入室手順は、次の通りである。まず、第３扉体１０１及び第４扉体１０２が閉鎖された状態で電動バルブ１２Ｃを開放側へ作動させて、圧力調整室２の第１気密空間Ｓ２と第２連通室１０の第２連通空間Ｓ５の圧力を均圧化させる。次に、第３扉体１０１を開放して第２連通室１０に人が入室した後、第３扉体１０１を閉鎖する。第３扉体１０１が閉鎖されると電動バルブ１２Ｃは、自動的に閉鎖側へ作動する。次に、電動バルブ１２Ｄを開放側へ作動させて、第２連通室１０の第２連通空間Ｓ５と圧力制御室３の第２気密空間Ｓ３の圧力を均圧化させる。次に、第４扉体１０２を開放して圧力制御室３に人が入室した後、第４扉体１０２を閉鎖する。第４扉体１０２が閉鎖されると電動バルブ１２Ｄは、自動的に閉鎖側へ作動する。
【００４７】
一方、圧力制御室３から圧力調整室２への人の退室手順は、次の通りである。まず、第３扉体１０１及び第４扉体１０２が閉鎖された状態で電動バルブ１２Ｅを開放側へ作動させて、第２連通室１０の第２連通空間Ｓ５と圧力制御室３の第２気密空間Ｓ３の圧力を均圧化させる。次に、第４扉体１０２を開放して圧力制御室３から人が退室して第２連通室１０に入室した後、第４扉体１０２を閉鎖する。第４扉体１０２が閉鎖されると電動バルブ１２Ｅは、自動的に閉鎖側へ作動する。次に、電動バルブ１２Ｆを開放側へ作動させて、圧力調整室２の第１気密空間Ｓ２と第２連通室１０の第２連通空間Ｓ５の圧力を均圧化させる。次に、第３扉体１０１を開放して圧力調整室２側へ人が移動した後、第３扉体１０１を閉鎖する。第３扉体１０１が閉鎖されると電動バルブ１２Ｆは、自動的に閉鎖側へ作動する。
【００４８】
制御部１５は、第１圧力計１３Ａ、第２圧力計１３Ｂ及び第３圧力計１３Ｃから入力される検出結果に基づいて、圧力制御室３の絶対圧力が、記憶部１６に記憶される目標設定圧力になるように、換気機構を構成する第１換気機構４及び第２換気機構５の各々を制御する。制御部１５は、例えば制御プログラムを記憶するＲＯＭ（Ｒｅａｄ  Ｏｎｌｙ  Ｍｅｍｏｒｙ）や一時的にデータを記憶するフラッシュメモリ等の記憶装置が内蔵されたマイクロコンピュータからなり、前記制御プログラムが読み出されることにより、第１換気機構４及び第２換気機構５の各々を制御する。制御部１５は、図２に示すように、第１圧力制御部１５１と、第２圧力制御部１５２とを含む。
【００４９】
第１圧力制御部１５１は、第１圧力計１３Ａによる外気圧の検出結果と、第２圧力計１３Ｂによる圧力調整室２の絶対圧力の検出結果とを参照し、第１換気機構４を制御する。また、第２圧力制御部１５２は、第３圧力計１３Ｃによる圧力制御室３の絶対圧力の検出結果を参照し、第２換気機構５を制御する。更に、本実施形態では、第１圧力制御部１５１及び第２圧力制御部１５２の各々は、外部空間Ｓ１と圧力調整室２の第１気密空間Ｓ２との間の第１圧力差と、圧力調整室２の第１気密空間Ｓ２と圧力制御室３の第２気密空間Ｓ３との間の第２圧力差とが、第１壁部２Ａ及び第２壁部３Ａを構成するパネル構造体の、記憶部１６に記憶される限界圧力差以内となるように、第１換気機構４及び第２換気機構５の各々を制御する。
【００５０】
制御部１５は、第１圧力制御部１５１が第１換気機構４を制御し、第２圧力制御部１５２が第２換気機構５を制御することにより、初期圧力制御と圧力保持制御とを実行する。制御部１５が実行する初期圧力制御は、制御動作開始時において、圧力制御室３の絶対圧力を記憶部１６に記憶された目標設定圧力へ移行させる制御である。また、制御部１５が実行する圧力保持制御は、外部空間Ｓ１の外気圧の変動に応じて圧力制御室３の絶対圧力を、初期圧力制御において到達させた目標設定圧力に保持させる制御である。
【００５１】
制御部１５の制御動作について、図４Ａ及び図４Ｂと図５を参照して詳細に説明すると、次の通りである。図４Ａ及び図４Ｂは、外気圧の変動線Ｋ１、圧力調整室２における圧力制御特性線Ｋ２、及び圧力制御室３における圧力制御特性線Ｋ３を示すグラフである。図４Ａ及び図４Ｂに示すグラフにおいて、横軸は時刻を示し、縦軸は絶対圧力（ｈＰａ）を示す。図５は、第１実施形態に係る絶対圧力制御システム１における圧力制御動作を示すフローチャートである。
【００５２】
まず、ステップａ１では、絶対圧力制御システム１の管理者によって圧力制御室３の目標設定圧力ＰＳ（図４Ａ及び図４Ｂ参照）が設定される。この目標設定圧力ＰＳは、記憶部１６に記憶される。なお、記憶部１６には、圧力調整室２の第１壁部２Ａ及び圧力制御室３の第２壁部３Ａの各々を構成するパネル構造体の限界圧力差についても、記憶されている。
【００５３】
ここで、外部空間Ｓ１の外気圧（平地の大気圧）は、一定ではなく、図４Ａ及び図４Ｂの変動線Ｋ１にて示されるように、所定の変動幅Ｐ０Ｗの範囲で変動する。外気圧は、例えば９７０ｈＰａ〜１０３０ｈＰａの範囲で変動する。
【００５４】
ステップａ２の初期圧力制御工程では、制御部１５を構成する第１圧力制御部１５１及び第２圧力制御部１５２は、初期圧力制御を実行する。ステップａ２の初期圧力制御工程は、ステップａ２１の第１初期圧力制御工程と、ステップａ２２の第２初期圧力制御工程とを含む。
【００５５】
ステップａ２１の第１初期圧力制御工程では、制御部１５を構成する第１圧力制御部１５１及び第２圧力制御部１５２は、圧力調整室２及び圧力制御室３の絶対圧力を外気圧と目標設定圧力ＰＳとの間の調整圧力とする第１初期圧力制御を実行する。ここで、前記調整圧力は、例えば、下記式（１）に基づき算出された値であり、外気圧と目標設定圧力ＰＳとの中央値である。
【００５６】
調整圧力（ｈＰａ）＝Ｐｓ＋ΔＰ×１／２            ・・・（１）
［式（１）中、「Ｐｓ」は外気圧及び目標設定圧力のうちの低い方の圧力値を示し、「ΔＰ」は外気圧と目標設定圧力との差圧の絶対値を示す。］
【００５７】
なお、ステップａ２１の第１初期圧力制御工程において第１圧力制御部１５１及び第２圧力制御部１５２が実行する第１初期圧力制御は、上記のように、圧力調整室２及び圧力制御室３の絶対圧力を同一の調整圧力とする制御に限定されるものではない。第１初期圧力制御は、圧力調整室２及び圧力制御室３の絶対圧力を、それぞれ異なる調整圧力とする制御であってもよい。具体的には、第１初期圧力制御は、外気圧と目標設定圧力ＰＳとの間において、圧力調整室２及び圧力制御室３の調整圧力が異なる値であり、圧力制御室３の調整圧力に対して圧力調整室２の調整圧力が外気圧に近い圧力値となるような制御であってもよい。本実施形態では、第１初期圧力制御は、圧力調整室２及び圧力制御室３の絶対圧力を同一の調整圧力とする制御である。
【００５８】
ステップａ２２の第２初期圧力制御工程では、制御部１５を構成する第１圧力制御部１５１及び第２圧力制御部１５２は、圧力調整室２の絶対圧力を前記調整圧力に維持しつつ、圧力制御室３の絶対圧力を前記調整圧力から目標設定圧力ＰＳへと移行させる第２初期圧力制御を実行する。
【００５９】
ステップａ２の初期圧力制御工程において制御部１５により実行される初期圧力制御について、より詳しく説明すると、以下の通りである。
【００６０】
［外気圧が目標設定圧力よりも高い場合の初期圧力制御］
制御部１５により実行される初期圧力制御について、外気圧が目標設定圧力ＰＳよりも高い場合の制御を、図４Ａを参照して説明する。外気圧Ｐ０１が圧力制御室３の目標設定圧力ＰＳよりも高い場合、ステップａ２１の第１初期圧力制御工程において、第１圧力制御部１５１は、第１換気機構４を制御するための指令信号として、第２インバータ４２１に第１排気機４２２の出力を調整する指令信号を送信しつつ、第１排気用モータダンパ４２３に外気圧Ｐ０１に応じた開度とする指令信号を送信し、且つ、第１インバータ４１１に第１送風機４１２の出力を調整する指令信号を送信しつつ、第１送風用モータダンパ４１３に開度を１０％以下とする指令信号を送信する。また、第２圧力制御部１５２は、第２換気機構５を制御するための指令信号として、第４インバータ５２１に第２排気機５２２の出力を調整する指令信号を送信しつつ、第２排気用モータダンパ５２３に開度を１００％とする指令信号を送信し、且つ、第３インバータ５１１に第２送風機５１２の出力を調整する指令信号を送信しつつ、第２送風用モータダンパ５１３に開度を１０％以下とする指令信号を送信する。このような第１圧力制御部１５１及び第２圧力制御部１５２の制御動作によって、図４Ａの時刻Ｔ０１の時点において、圧力調整室２及び圧力制御室３の絶対圧力は、外気圧Ｐ０１と目標設定圧力ＰＳとの間の調整圧力Ｐ１１となる。
【００６１】
次に、ステップａ２２の第２初期圧力制御工程において、第１圧力制御部１５１は、第１換気機構４を制御するための指令信号として、第２インバータ４２１に第１排気機４２２の出力を調整する指令信号を送信しつつ、第１排気用モータダンパ４２３に圧力調整室２を調整圧力に維持可能な開度とする指令信号を送信し、且つ、第１インバータ４１１に第１送風機４１２の出力を調整する指令信号を送信しつつ、第１送風用モータダンパ４１３に開度を１０％以下とする指令信号を送信する。また、第２圧力制御部１５２は、第２換気機構５を制御するための指令信号として、第４インバータ５２１に第２排気機５２２の出力を調整する指令信号を送信しつつ、第２排気用モータダンパ５２３に圧力制御室３を目標設定圧力ＰＳへ移行可能な開度とする指令信号を送信し、且つ、第３インバータ５１１に第２送風機５１２の出力を調整する指令信号を送信しつつ、第２送風用モータダンパ５１３に開度を１０％以下とする指令信号を送信する。このような第１圧力制御部１５１及び第２圧力制御部１５２の制御動作によって、図４Ａの時刻Ｔ１１の時点において、圧力調整室２の絶対圧力が外気圧と目標設定圧力ＰＳとの間の調整圧力に維持されつつ、圧力制御室３の絶対圧力が目標設定圧力ＰＳとされる。図４Ａの例において、時刻Ｔ０１より前の初期圧力制御が開始された時刻から時刻Ｔ０１までの時間帯と時刻Ｔ０１から時刻Ｔ１１までの時間帯ＴＷ１が、制御部１５を構成する第１圧力制御部１５１及び第２圧力制御部１５２により初期圧力制御が実行される時間帯となる。
【００６２】
［外気圧が目標設定圧力よりも低い場合の初期圧力制御］
制御部１５により実行される初期圧力制御について、外気圧が目標設定圧力ＰＳよりも低い場合の制御を、図４Ｂを参照して説明する。外気圧Ｐ０２が圧力制御室３の目標設定圧力ＰＳよりも低い場合、ステップａ２１の第１初期圧力制御工程において、第１圧力制御部１５１は、第１換気機構４を制御するための指令信号として、第１インバータ４１１に第１送風機４１２の出力を調整する指令信号を送信しつつ、第１送風用モータダンパ４１３に外気圧Ｐ０２に応じた開度とする指令信号を送信し、且つ、第２インバータ４２１に第１排気機４２２の出力を調整する指令信号を送信しつつ、第１排気用モータダンパ４２３に開度を１０％以下とする指令信号を送信する。また、第２圧力制御部１５２は、第２換気機構５を制御するための指令信号として、第３インバータ５１１に第２送風機５１２の出力を調整する指令信号を送信しつつ、第２送風用モータダンパ５１３に開度を１００％とする指令信号を送信し、且つ、第４インバータ５２１に第２排気機５２２の出力を調整する指令信号を送信しつつ、第２排気用モータダンパ５２３に開度を１０％以下とする指令信号を送信する。このような第１圧力制御部１５１及び第２圧力制御部１５２の制御動作によって、図４Ｂの時刻Ｔ０２の時点において、圧力調整室２及び圧力制御室３の絶対圧力は、外気圧Ｐ０２と目標設定圧力ＰＳとの間の調整圧力Ｐ１２となる。
【００６３】
次に、ステップａ２２の第２初期圧力制御工程において、第１圧力制御部１５１は、第１換気機構４を制御するための指令信号として、第１インバータ４１１に第１送風機４１２の出力を調整する指令信号を送信しつつ、第１送風用モータダンパ４１３に圧力調整室２を調整圧力に維持可能な開度とする指令信号を送信し、且つ、第２インバータ４２１に第１排気機４２２の出力を調整する指令信号を送信しつつ、第１排気用モータダンパ４２３に開度を１０％以下とする指令信号を送信する。また、第２圧力制御部１５２は、第２換気機構５を制御するための指令信号として、第３インバータ５１１に第２送風機５１２の出力を調整する指令信号を送信しつつ、第２送風用モータダンパ５１３に圧力制御室３を目標設定圧力ＰＳへ移行可能な開度とする指令信号を送信し、且つ、第４インバータ５２１に第２排気機５２２の出力を調整する指令信号を送信しつつ、第２排気用モータダンパ５２３に開度を１０％以下とする指令信号を送信する。このような第１圧力制御部１５１及び第２圧力制御部１５２の制御動作によって、図４Ｂの時刻Ｔ１２の時点において、圧力調整室２の絶対圧力が外気圧と目標設定圧力ＰＳとの間の調整圧力に維持されつつ、圧力制御室３の絶対圧力が目標設定圧力ＰＳとされる。図４Ｂの例において、時刻Ｔ０２より前の初期圧力制御が開始された時刻から時刻Ｔ０２までの時間帯と時刻Ｔ０２から時刻Ｔ１２までの時間帯ＴＷ１が、制御部１５を構成する第１圧力制御部１５１及び第２圧力制御部１５２により初期圧力制御が実行される時間帯となる。
【００６４】
ステップａ２の初期圧力制御工程において圧力制御室３の絶対圧力が目標設定圧力ＰＳとされると、ステップａ３の圧力保持制御工程に進む。ステップａ３の圧力保持制御工程では、制御部１５を構成する第１圧力制御部１５１及び第２圧力制御部１５２は、圧力保持制御を実行する。ステップａ３の圧力保持制御工程は、ステップａ３１の第１圧力保持制御工程と、ステップａ３２の第２圧力保持制御工程とを含む。
【００６５】
ステップａ３１の第１圧力保持制御工程では、制御部１５を構成する第１圧力制御部１５１は、圧力調整室２の絶対圧力を、外気圧の変動に応じて当該外気圧と目標設定圧力ＰＳとの間の圧力で推移させる第１圧力保持制御を実行する。ここで、第１圧力制御部１５１による第１圧力保持制御によって、圧力調整室２の絶対圧力は、外気圧の変動に応じて上記式（１）に基づき算出された圧力で推移する。
【００６６】
ステップａ３２の第２圧力保持制御工程では、制御部１５を構成する第２圧力制御部１５２は、圧力制御室３の絶対圧力を、初期圧力制御において到達させた目標設定圧力ＰＳで一定に推移させる第２圧力保持制御を実行する。
【００６７】
なお、図４Ａの例における時刻Ｔ１１以降の時間帯ＴＷ２、並びに、図４Ｂの例における時刻Ｔ１２以降の時間帯ＴＷ２が、制御部１５を構成する第１圧力制御部１５１及び第２圧力制御部１５２により圧力保持制御が実行される時間帯となる。
【００６８】
ステップａ３の圧力保持制御工程において制御部１５により実行される圧力保持制御について、より詳しく説明すると、以下の通りである。
【００６９】
［外気圧が目標設定圧力よりも高い場合の圧力保持制御］
変動する外気圧が目標設定圧力ＰＳよりも高い場合、ステップａ３１の第１圧力保持制御工程において、第１圧力制御部１５１は、第１換気機構４を制御するための指令信号として、第２インバータ４２１に第１排気機４２２の出力を調整する指令信号を送信しつつ、第１排気用モータダンパ４２３に外気圧の変動に応じた開度とする指令信号を送信し、且つ、第１インバータ４１１に第１送風機４１２の出力を調整する指令信号を送信しつつ、第１送風用モータダンパ４１３に開度を１０％以下とする指令信号を送信する。このような第１圧力制御部１５１の制御動作によって、圧力調整室２の絶対圧力は、外気圧の変動に応じて当該外気圧と目標設定圧力ＰＳとの間の圧力で推移する。
【００７０】
また、ステップａ３２の第２圧力保持制御工程において、第２圧力制御部１５２は、第２換気機構５を制御するための指令信号として、第４インバータ５２１に第２排気機５２２の出力を調整する指令信号を送信しつつ、第２排気用モータダンパ５２３に外気圧の変動に応じた開度とする指令信号を送信し、且つ、第３インバータ５１１に第２送風機５１２の出力を調整する指令信号を送信しつつ、第２送風用モータダンパ５１３に開度を１０％以下とする指令信号を送信する。このような第２圧力制御部１５２の制御動作によって、圧力制御室３の絶対圧力は、初期圧力制御において到達された目標設定圧力ＰＳで一定に推移する。
【００７１】
［外気圧が目標設定圧力よりも低い場合の圧力保持制御］
変動する外気圧が目標設定圧力ＰＳよりも低い場合、ステップａ３１の第１圧力保持制御工程において、第１圧力制御部１５１は、第１換気機構４を制御するための指令信号として、第１インバータ４１１に第１送風機４１２の出力を調整する指令信号を送信しつつ、第１送風用モータダンパ４１３に外気圧の変動に応じた開度とする指令信号を送信し、且つ、第２インバータ４２１に第１排気機４２２の出力を調整する指令信号を送信しつつ、第１排気用モータダンパ４２３に開度を１０％以下とする指令信号を送信する。このような第１圧力制御部１５１の制御動作によって、圧力調整室２の絶対圧力は、外気圧の変動に応じて当該外気圧と目標設定圧力ＰＳとの間の圧力で推移する。
【００７２】
また、ステップａ３２の第２圧力保持制御工程において、第２圧力制御部１５２は、第２換気機構５を制御するための指令信号として、第３インバータ５１１に第２送風機５１２の出力を調整する指令信号を送信しつつ、第２送風用モータダンパ５１３に外気圧の変動に応じた開度とする指令信号を送信し、且つ、第４インバータ５２１に第２排気機５２２の出力を調整する指令信号を送信しつつ、第２排気用モータダンパ５２３に開度を１０％以下とする指令信号を送信する。このような第２圧力制御部１５２の制御動作によって、圧力制御室３の絶対圧力は、初期圧力制御において到達された目標設定圧力ＰＳで一定に推移する。
【００７３】
以上のように構成される本実施形態に係る絶対圧力制御システム１では、制御部１５を構成する第１圧力制御部１５１及び第２圧力制御部１５２は、初期圧力制御において、まず、圧力調整室２及び圧力制御室３の絶対圧力を外気圧と目標設定圧力ＰＳとの間の調整圧力とする第１初期圧力制御を行う。次に第１圧力制御部１５１及び第２圧力制御部１５２は、圧力調整室２の絶対圧力を前記調整圧力に維持しつつ、圧力制御室３の絶対圧力を前記調整圧力から目標設定圧力ＰＳへと移行させる第２初期圧力制御を行う。また、制御部１５では、圧力保持制御において、第２圧力制御部１５２が圧力制御室３の絶対圧力を目標設定圧力ＰＳで一定に推移させる第２圧力保持制御を行うに際し、第１圧力制御部１５１が圧力調整室２の絶対圧力を外気圧の変動に応じて外気圧と目標設定圧力ＰＳとの間の圧力で推移させる第１圧力保持制御を行う。これにより、圧力制御室３の目標設定圧力ＰＳと外気圧との圧力差の、圧力調整室２及び圧力制御室３の気密性を保持した状態での許容範囲を、第１壁部２Ａを挟んだ両側の外部空間Ｓ１と圧力調整室２との間の圧力差と、第２壁部３Ａを挟んだ両側の圧力調整室２と圧力制御室３との間の圧力差との合計値にまで拡張することができる。従って、外気圧が大きく変動した場合であっても、圧力制御室３の絶対圧力を一定の目標設定圧力ＰＳに保持することが可能となる。
【００７４】
また、第２換気機構５を構成する、第２送風装置５１の第２送風機５１２と第２排気装置５２の第２排気機５２２とが、圧力調整室２の第１気密空間Ｓ２に配置されている。これにより、第２換気機構５に異常が発生した場合であっても、目標設定圧力ＰＳに制御された圧力制御室３の絶対圧力が一気に外気圧にまで戻ることを抑止することができる。
【００７５】
また、圧力調整室２の第１壁部２Ａ及び圧力制御室３の第２壁部３Ａが、固有値として限界圧力差が設定されたパネル構造体によって構成されている。このような構成において、制御部１５を構成する第１圧力制御部１５１及び第２圧力制御部１５２は、第１壁部２Ａを挟んだ両側の外部空間Ｓ１と圧力調整室２との間の第１圧力差と、第２壁部３Ａを挟んだ両側の圧力調整室２と圧力制御室３との間の第２圧力差とが、パネル構造体の限界圧力差以内となるように、初期圧力制御及び圧力保持制御を実行する。これにより、第１圧力差及び第２圧力差が限界圧力差を超えることがないので、パネル構造体を構成するパネルＰＮに許容できない程度の撓み等が生じることが抑止され、圧力調整室２及び圧力制御室３の気密性を保持することができる。
【００７６】
また、本実施形態に係る絶対圧力制御システム１は、図１に示すように、空調機１４を更に備える構成としてもよい。空調機１４は、圧力制御室３に配置され、当該圧力制御室３の温度及び湿度を調整可能とされる。圧力制御室３に空調機１４を配置することによって、圧力制御室３の絶対圧力を一定の目標設定圧力ＰＳに保持することに加えて、圧力制御室３の温度及び湿度をも調整することができる。
【００７７】
＜第２実施形態＞
図６は、第２実施形態に係る絶対圧力制御システム１Ａの構成を概略的に示す図である。第２実施形態に係る絶対圧力制御システム１Ａは、第２換気機構５を構成する第２送風装置５１及び第２排気装置５２について、第２送風装置５１の第２送風機５１２と、第２排気装置５２の第２排気機５２２との配置位置が異なる以外は、上述の第１実施形態に係る絶対圧力制御システム１と同様に構成される。このように第２実施形態に係る絶対圧力制御システム１Ａは、第１実施形態に係る絶対圧力制御システム１と同様の部分を有する。従って、以下の説明及び図において、対応する同様の部分については同一の参照符号を付すとともに、説明を省略する。
【００７８】
第１実施形態に係る絶対圧力制御システム１において、第２送風装置５１の第２送風機５１２と、第２排気装置５２の第２排気機５２２とは、圧力調整室２の第１気密空間Ｓ２に配置されている。これに対し、図６に示す第２実施形態に係る絶対圧力制御システム１Ａにおいて、第２送風装置５１の第２送風機５１２と、第２排気装置５２の第２排気機５２２とは、外部空間Ｓ１に配置されている。そして、第２換気機構５は、外部空間Ｓ１と圧力制御室３との間の換気を行うよう構成されている。
【００７９】
第２実施形態に係る絶対圧力制御システム１Ａにおいて、制御部１５は、第１圧力制御部１５１が第１換気機構４を制御し、第２圧力制御部１５２が第２換気機構５を制御することにより、初期圧力制御と圧力保持制御とを実行する。第２実施形態に係る絶対圧力制御システム１Ａにおける制御部１５の制御動作は、第１実施形態に係る絶対圧力制御システム１における制御部１５の制御動作と比較して、特に、初期圧力制御時の、第２換気機構５を構成する第２送風用モータダンパ５１３及び第２排気用モータダンパ５２３の開度調整の制御が異なる。絶対圧力制御システム１Ａの制御部１５での圧力保持制御については、絶対圧力制御システム１と同様である。
【００８０】
［外気圧が目標設定圧力よりも高い場合の初期圧力制御］
絶対圧力制御システム１Ａの制御部１５により実行される初期圧力制御について、外気圧が目標設定圧力ＰＳよりも高い場合の制御を、図４Ａを参照して説明する。外気圧Ｐ０１が圧力制御室３の目標設定圧力ＰＳよりも高い場合、ステップａ２１の第１初期圧力制御工程において、第１圧力制御部１５１は、第１換気機構４を制御するための指令信号として、第２インバータ４２１に第１排気機４２２の出力を調整する指令信号を送信しつつ、第１排気用モータダンパ４２３に外気圧Ｐ０１に応じた開度とする指令信号を送信し、且つ、第１インバータ４１１に第１送風機４１２の出力を調整する指令信号を送信しつつ、第１送風用モータダンパ４１３に開度を１０％以下とする指令信号を送信する。また、第２圧力制御部１５２は、第２換気機構５を制御するための指令信号として、第４インバータ５２１に第２排気機５２２の出力を調整する指令信号を送信しつつ、第２排気用モータダンパ５２３に外気圧Ｐ０１に応じた開度とする指令信号を送信し、且つ、第３インバータ５１１に第２送風機５１２の出力を調整する指令信号を送信しつつ、第２送風用モータダンパ５１３に開度を１０％以下とする指令信号を送信する。
【００８１】
絶対圧力制御システム１の制御部１５により実行される初期圧力制御では、第１初期圧力制御工程において、第２圧力制御部１５２は、第２換気機構５を制御するための指令信号として、第２排気用モータダンパ５２３に開度を１００％とする指令信号を送信していた。これに対し、絶対圧力制御システム１Ａの制御部１５により実行される初期圧力制御では、前述の如く、第１初期圧力制御工程において、第２圧力制御部１５２は、第２換気機構５を制御するための指令信号として、第２排気用モータダンパ５２３に外気圧Ｐ０１に応じた開度とする指令信号を送信する。
【００８２】
絶対圧力制御システム１Ａにおける、上記のような第１圧力制御部１５１及び第２圧力制御部１５２の制御動作によって、図４Ａの時刻Ｔ０１の時点において、圧力調整室２及び圧力制御室３の絶対圧力は、外気圧Ｐ０１と目標設定圧力ＰＳとの間の調整圧力Ｐ１１となる。
【００８３】
次に、ステップａ２２の第２初期圧力制御工程において、第１圧力制御部１５１は、第１換気機構４を制御するための指令信号として、第２インバータ４２１に第１排気機４２２の出力を調整する指令信号を送信しつつ、第１排気用モータダンパ４２３に圧力調整室２を調整圧力に維持可能な開度とする指令信号を送信し、且つ、第１インバータ４１１に第１送風機４１２の出力を調整する指令信号を送信しつつ、第１送風用モータダンパ４１３に開度を１０％以下とする指令信号を送信する。また、第２圧力制御部１５２は、第２換気機構５を制御するための指令信号として、第４インバータ５２１に第２排気機５２２の出力を調整する指令信号を送信しつつ、第２排気用モータダンパ５２３に圧力制御室３を目標設定圧力ＰＳへ移行可能な開度とする指令信号を送信し、且つ、第３インバータ５１１に第２送風機５１２の出力を調整する指令信号を送信しつつ、第２送風用モータダンパ５１３に開度を１０％以下とする指令信号を送信する。このような第１圧力制御部１５１及び第２圧力制御部１５２の制御動作によって、図４Ａの時刻Ｔ１１の時点において、圧力調整室２の絶対圧力が外気圧と目標設定圧力ＰＳとの間の調整圧力に維持されつつ、圧力制御室３の絶対圧力が目標設定圧力ＰＳとされる。
【００８４】
［外気圧が目標設定圧力よりも低い場合の初期圧力制御］
絶対圧力制御システム１Ａの制御部１５により実行される初期圧力制御について、外気圧が目標設定圧力ＰＳよりも低い場合の制御を、図４Ｂを参照して説明する。外気圧Ｐ０２が圧力制御室３の目標設定圧力ＰＳよりも低い場合、ステップａ２１の第１初期圧力制御工程において、第１圧力制御部１５１は、第１換気機構４を制御するための指令信号として、第１インバータ４１１に第１送風機４１２の出力を調整する指令信号を送信しつつ、第１送風用モータダンパ４１３に外気圧Ｐ０２に応じた開度とする指令信号を送信し、且つ、第２インバータ４２１に第１排気機４２２の出力を調整する指令信号を送信しつつ、第１排気用モータダンパ４２３に開度を１０％以下とする指令信号を送信する。また、第２圧力制御部１５２は、第２換気機構５を制御するための指令信号として、第３インバータ５１１に第２送風機５１２の出力を調整する指令信号を送信しつつ、第２送風用モータダンパ５１３に外気圧Ｐ０２に応じた開度とする指令信号を送信し、且つ、第４インバータ５２１に第２排気機５２２の出力を調整する指令信号を送信しつつ、第２排気用モータダンパ５２３に開度を１０％以下とする指令信号を送信する。
【００８５】
絶対圧力制御システム１の制御部１５により実行される初期圧力制御では、第１初期圧力制御工程において、第２圧力制御部１５２は、第２換気機構５を制御するための指令信号として、第２送風用モータダンパ５１３に開度を１００％とする指令信号を送信していた。これに対し、絶対圧力制御システム１Ａの制御部１５により実行される初期圧力制御では、前述の如く、第１初期圧力制御工程において、第２圧力制御部１５２は、第２換気機構５を制御するための指令信号として、第２送風用モータダンパ５１３に外気圧Ｐ０２に応じた開度とする指令信号を送信する。
【００８６】
絶対圧力制御システム１Ａにおける、上記のような第１圧力制御部１５１及び第２圧力制御部１５２の制御動作によって、図４Ｂの時刻Ｔ０２の時点において、圧力調整室２及び圧力制御室３の絶対圧力は、外気圧Ｐ０２と目標設定圧力ＰＳとの間の調整圧力Ｐ１２となる。
【００８７】
次に、ステップａ２２の第２初期圧力制御工程において、第１圧力制御部１５１は、第１換気機構４を制御するための指令信号として、第１インバータ４１１に第１送風機４１２の出力を調整する指令信号を送信しつつ、第１送風用モータダンパ４１３に圧力調整室２を調整圧力に維持可能な開度とする指令信号を送信し、且つ、第２インバータ４２１に第１排気機４２２の出力を調整する指令信号を送信しつつ、第１排気用モータダンパ４２３に開度を１０％以下とする指令信号を送信する。また、第２圧力制御部１５２は、第２換気機構５を制御するための指令信号として、第３インバータ５１１に第２送風機５１２の出力を調整する指令信号を送信しつつ、第２送風用モータダンパ５１３に圧力制御室３を目標設定圧力ＰＳへ移行可能な開度とする指令信号を送信し、且つ、第４インバータ５２１に第２排気機５２２の出力を調整する指令信号を送信しつつ、第２排気用モータダンパ５２３に開度を１０％以下とする指令信号を送信する。このような第１圧力制御部１５１及び第２圧力制御部１５２の制御動作によって、図４Ｂの時刻Ｔ１２の時点において、圧力調整室２の絶対圧力が外気圧と目標設定圧力ＰＳとの間の調整圧力に維持されつつ、圧力制御室３の絶対圧力が目標設定圧力ＰＳとされる。
【００８８】
以上のように構成される第２実施形態に係る絶対圧力制御システム１Ａにおいても、絶対圧力制御システム１と同様に、圧力制御室３の目標設定圧力ＰＳと外気圧との圧力差の、圧力調整室２及び圧力制御室３の気密性を保持した状態での許容範囲を、第１壁部２Ａを挟んだ両側の外部空間Ｓ１と圧力調整室２との間の圧力差と、第２壁部３Ａを挟んだ両側の圧力調整室２と圧力制御室３との間の圧力差との合計値にまで拡張することができる。従って、外気圧が大きく変動した場合であっても、圧力制御室３の絶対圧力を一定の目標設定圧力ＰＳに保持することが可能となる。
【００８９】
＜第３実施形態＞
図７は、第３実施形態に係る絶対圧力制御システム１Ｂの構成を概略的に示す図である。図８は、第３実施形態に係る絶対圧力制御システム１Ｂのブロック図である。第３実施形態に係る絶対圧力制御システム１Ｂは、圧力制御室３を取り囲む圧力調整室２の構成が異なる以外は、上述の第１実施形態に係る絶対圧力制御システム１と同様に構成される。このように第３実施形態に係る絶対圧力制御システム１Ｂは、第１実施形態に係る絶対圧力制御システム１と同様の部分を有する。従って、以下の説明及び図において、対応する同様の部分については同一の参照符号を付すとともに、説明を省略する。
【００９０】
第３実施形態に係る絶対圧力制御システム１Ｂにおいて、圧力調整室２は、第１壁部２Ａとして、外部空間Ｓ１に面した外周壁２Ａ１と、当該外周壁２Ａ１に対向した内周壁２Ａ２とを含む多重構造である。圧力調整室２は、外周壁２Ａ１により画定される第１調整室２１と、内周壁２Ａ２により画定され、第１調整室２１内に配置された第２調整室２２とで構成される。すなわち、圧力制御室３を取り囲む圧力調整室２が、第１調整室２１とその内側に配置された第２調整室２２との２つの調整室からなる多重構造である。
【００９１】
第１調整室２１は、外部空間Ｓ１と区画された気密空間Ｓ２−１を画定する外周壁２Ａ１に囲われた気密室である。第１調整室２１は、外周壁２Ａ１によって四方が取り囲まれた箱形である。第２調整室２２は、第１調整室２１の気密空間Ｓ２−１に配置され、当該気密空間Ｓ２−１と区画された気密空間Ｓ２−２を画定する内周壁２Ａ２に囲われた気密室である。第２調整室２２は、内周壁２Ａ２によって四方が取り囲まれた箱形である。この第２調整室２２内に、圧力制御室３が配置される。
【００９２】
また、図７に示すように、第１調整室２１の外周壁２Ａ１には、外部空間Ｓ１の外気圧を検出するための第１圧力計１３Ａと、第１調整室２１内の絶対圧力を検出するための第２圧力計１３Ｂとが、取り付けられている。圧力制御室３の第２壁部３Ａには、圧力制御室３内の絶対圧力を検出するための第３圧力計１３Ｃが、取り付けられている。そして、第２調整室２２の内周壁２Ａ２には、第２調整室２２内の絶対圧力を検出するための第４圧力計１３Ｄが、取り付けられている。これらの第１圧力計１３Ａ、第２圧力計１３Ｂ、第３圧力計１３Ｃ及び第４圧力計１３Ｄの検出結果は、制御部１５に入力される。
【００９３】
本実施形態では、第１換気機構４は、外部空間Ｓ１と第１調整室２１との間の換気を行うよう構成されている。第１換気機構４は、上述の如く、第１送風装置４１と第１排気装置４２とを含んで構成される。また、第２換気機構５は、第２調整室２２と圧力制御室３との間の換気を行うよう構成されている。第２換気機構５は、上述の如く、第２送風装置５１と第２排気装置５２とを含んで構成される。
【００９４】
本実施形態に係る絶対圧力制御システム１Ｂは、第１調整室２１と第２調整室２２との間の換気を行う機構として、第３換気機構６を備える。第３換気機構６は、第３送風装置６１と第３排気装置６２とを含んで構成される。
【００９５】
第３送風装置６１は、第３送風用ダクトＤ５と、第５インバータ６１１と、第３送風機６１２と、第３送風用モータダンパ６１３とを含む。第３送風用ダクトＤ５は、第１調整室２１と第２調整室２２とを連通する第３送風路を画定するダクトである。第５インバータ６１１は、第３送風機６１２の出力を調整するものであり、制御部１５から指令信号を受信し、その指令信号に基づき第３送風機６１２の出力を調整する。第３送風機６１２は、第３送風用ダクトＤ５に接続され、第１調整室２１内に存在する空気を、第３送風用ダクトＤ５を介して第２調整室２２内に送風する。この第３送風機６１２は、第１調整室２１の気密空間Ｓ２−１に配置されており、例えば、送風ファンやエアコンプレッサ等により実現される。第３送風用モータダンパ６１３は、第３送風用ダクトＤ５に取り付けられたモータダンパであり、第３送風用ダクトＤ５を通過する単位時間当たりの空気量を調整する。第３送風用モータダンパ６１３は、制御部１５から指令信号を受信し、その指令信号に基づき第３送風用ダクトＤ５における第３送風路の開度（流路断面積）を調整することにより、第３送風用ダクトＤ５を通過する空気量を調整する。このように構成される第３送風装置６１では、第５インバータ６１１により第３送風機６１２の出力が調整され、且つ、第３送風用モータダンパ６１３により第３送風用ダクトＤ５の開度が調整されることにより、第３送風機６１２により第２調整室２２内に送風する空気量を任意に制御することができる。
【００９６】
第３排気装置６２は、第３排気用ダクトＤ６と、第６インバータ６２１と、第３排気機６２２と、第３排気用モータダンパ６２３とを含む。第３排気用ダクトＤ６は、第１調整室２１と第２調整室２２とを連通する第３排気路を画定するダクトである。第６インバータ６２１は、第３排気機６２２の出力を調整するものであり、制御部１５から指令信号を受信し、その指令信号に基づき第３排気機６２２の出力を調整する。第３排気機６２２は、第３排気用ダクトＤ６に接続され、第２調整室２２内に存在する空気を、第３排気用ダクトＤ６を介して第１調整室２１内に排気する。この第３排気機６２２は、第１調整室２１の気密空間Ｓ２−１に配置されており、例えば、排気ファンや真空ポンプ等により実現される。第３排気用モータダンパ６２３は、第３排気用ダクトＤ６に取り付けられたモータダンパであり、第３排気用ダクトＤ６を通過する単位時間当たりの空気量を調整する。第３排気用モータダンパ６２３は、制御部１５から指令信号を受信し、その指令信号に基づき第３排気用ダクトＤ６における第３排気路の開度（流路断面積）を調整することにより、第３排気用ダクトＤ６を通過する空気量を調整する。このように構成される第３排気装置６２では、第６インバータ６２１により第３排気機６２２の出力が調整され、且つ、第３排気用モータダンパ６２３により第３排気用ダクトＤ６の開度が調整されることにより、第３排気機６２２により第２調整室２２から排気する空気量を任意に制御することができる。
【００９７】
また、本実施形態では、第１圧力差保持機構７Ａは、第１換気機構４の異常時に作動する機構として構成される。第１圧力差保持機構７Ａは、第１換気機構４の異常時において、外部空間Ｓ１と第１調整室２１との間の圧力差を、外周壁２Ａ１を構成するパネル構造体の限界圧力差以内に保持する。この第１圧力差保持機構７Ａは、図７に示すように、第１チャッキダンパ７１及び第２チャッキダンパ７２を含んで構成される。
【００９８】
第１チャッキダンパ７１は、外部空間Ｓ１と第１調整室２１とを連通する流路を画定するダクトＤ７に取り付けられた、差圧により作動する機械式の逆流防止ダンパである。第１チャッキダンパ７１は、第１調整室２１の圧力が外部空間Ｓ１の外気圧よりも高い場合に、外部空間Ｓ１と第１調整室２１との間の圧力差がパネル構造体の限界圧力差を超えず、その圧力差が限界圧力差以内に保持されるように、ウエイトを調整する。第１チャッキダンパ７１が作動すると、外部空間Ｓ１から第１調整室２１への空気の逆流が防止された状態で、第１調整室２１内の空気が外部空間Ｓ１へと排気され、圧力差が限界圧力差以内に保持される。
【００９９】
第２チャッキダンパ７２は、外部空間Ｓ１と第１調整室２１とを連通する流路を画定するダクトＤ８に取り付けられた、差圧により作動する機械式の逆流防止ダンパである。第２チャッキダンパ７２は、第１調整室２１の圧力が外部空間Ｓ１の外気圧よりも低い場合に、外部空間Ｓ１と第１調整室２１との間の圧力差がパネル構造体の限界圧力差を超えず、その圧力差が限界圧力差以内に保持されるように、ウエイトを調整する。第２チャッキダンパ７２が作動すると、第１調整室２１から外部空間Ｓ１への空気の逆流が防止された状態で、外部空間Ｓ１の空気が第１調整室２１内へと給気され、圧力差が限界圧力差以内に保持される。
【０１００】
また、本実施形態では、第２圧力差保持機構８は、第２換気機構５の異常時に作動する機構として構成される。第２圧力差保持機構８は、第２換気機構５の異常時において、第２調整室２２と圧力制御室３との間の圧力差を、第２壁部３Ａを構成するパネル構造体の限界圧力差以内に保持する。この第２圧力差保持機構８は、図７に示すように、第３チャッキダンパ８１と、第４チャッキダンパ８２とを含んで構成される。
【０１０１】
第３チャッキダンパ８１は、第２調整室２２と圧力制御室３とを連通する流路を画定するダクトＤ９に取り付けられた、差圧により作動する機械式の逆流防止ダンパである。第３チャッキダンパ８１は、圧力制御室３の圧力が第２調整室２２の圧力よりも高い場合に、第２調整室２２と圧力制御室３との間の圧力差がパネル構造体の限界圧力差を超えず、その圧力差が限界圧力差以内に保持されるように、ウエイトを調整する。第３チャッキダンパ８１が作動すると、第２調整室２２から圧力制御室３への空気の逆流が防止された状態で、圧力制御室３内の空気が第２調整室２２へと排気され、圧力差が限界圧力差以内に保持される。
【０１０２】
第４チャッキダンパ８２は、第２調整室２２と圧力制御室３とを連通する流路を画定するダクトＤ１０に取り付けられた、差圧により作動する機械式の逆流防止ダンパである。第４チャッキダンパ８２は、圧力制御室３の圧力が第２調整室２２の圧力よりも低い場合に、第２調整室２２と圧力制御室３との間の圧力差がパネル構造体の限界圧力差を超えず、その圧力差が限界圧力差以内に保持されるように、ウエイトを調整する。第４チャッキダンパ８２が作動すると、圧力制御室３から第２調整室２２への空気の逆流が防止された状態で、第２調整室２２内の空気が圧力制御室３へと給気され、圧力差が限界圧力差以内に保持される。
【０１０３】
また、本実施形態では、第３圧力差保持機構７Ｂは、第３換気機構６の異常時において、第１調整室２１と第２調整室２２との間の圧力差を、内周壁２Ａ２を構成するパネル構造体の限界圧力差以内に保持する。この第３圧力差保持機構７Ｂは、図７に示すように、第５チャッキダンパ７３及び第６チャッキダンパ７４を含んで構成される。
【０１０４】
第５チャッキダンパ７３は、第１調整室２１と第２調整室２２とを連通する流路を画定するダクトＤ１１に取り付けられた、差圧により作動する機械式の逆流防止ダンパである。第５チャッキダンパ７３は、第２調整室２２の圧力が第１調整室２１の圧力よりも高い場合に、第１調整室２１と第２調整室２２との間の圧力差がパネル構造体の限界圧力差を超えず、その圧力差が限界圧力差以内に保持されるように、ウエイトを調整する。第５チャッキダンパ７３が作動すると、第１調整室２１から第２調整室２２への空気の逆流が防止された状態で、第２調整室２２内の空気が第１調整室２１へと排気され、圧力差が限界圧力差以内に保持される。
【０１０５】
第６チャッキダンパ７４は、第１調整室２１と第２調整室２２とを連通する流路を画定するダクトＤ１２に取り付けられた、差圧により作動する機械式の逆流防止ダンパである。第６チャッキダンパ７４は、第２調整室２２の圧力が第１調整室２１の圧力よりも低い場合に、第１調整室２１と第２調整室２２との間の圧力差がパネル構造体の限界圧力差を超えず、その圧力差が限界圧力差以内に保持されるように、ウエイトを調整する。第６チャッキダンパ７４が作動すると、第２調整室２２から第１調整室２１への空気の逆流が防止された状態で、第１調整室２１の空気が第２調整室２２内へと給気され、圧力差が限界圧力差以内に保持される。
【０１０６】
また、本実施形態に係る絶対圧力制御システム１Ｂは、人の入退室用の通路となる気密室として、第１連通室９及び第２連通室１０に加えて、第３連通室１１を備える。
【０１０７】
第１連通室９は、外部空間Ｓ１と第１調整室２１とを連通する連通空間Ｓ４−１を画定する第３壁部９Ａに囲われた気密室である。第１連通室９は、人が通行可能な大きさに形成され、第１調整室２１に対する人の入退室用の通路となる。第１連通室９の第３壁部９Ａには、外部空間Ｓ１に面して開口した第１開口部９Ｂと、気密空間Ｓ２−１に面して開口した第２開口部９Ｃとが形成されている。また、第１連通室９は、第１開口部９Ｂを開閉可能な第１扉体９１と、第２開口部９Ｃを開閉可能な第２扉体９２とを有する。なお、第１連通室９の第３壁部９Ａにおいて、第１開口部９Ｂの開口周縁部には第１扉体９１との間のシール性を確保するための第１シール部材９１１が取り付けられ、第２開口部９Ｃの開口周縁部には第２扉体９２との間のシール性を確保するための第２シール部材９２１が取り付けられている。
【０１０８】
また、図７に示すように、第１連通室９の第３壁部９Ａには、第１扉体９１の近傍において、外部空間Ｓ１側に突出して電動バルブ１２Ａが取り付けられ、連通空間Ｓ４−１側に突出して電動バルブ１２Ｌが取り付けられている。これらの電動バルブ１２Ａ、１２Ｌは、外部空間Ｓ１と第１連通室９の連通空間Ｓ４−１の圧力を均圧化するときに作動させるバルブである。更に、第１連通室９の第３壁部９Ａには、第２扉体９２の近傍において、連通空間Ｓ４−１側に突出して電動バルブ１２Ｂが取り付けられ、気密空間Ｓ２−１側に突出して電動バルブ１２Ｋが取り付けられている。これらの電動バルブ１２Ｂ、１２Ｋは、第１連通室９の連通空間Ｓ４−１と第１調整室２１の気密空間Ｓ２−１の圧力を均圧化するときに作動させるバルブである。
【０１０９】
外部空間Ｓ１から第１調整室２１への人の入室手順は、次の通りである。まず、第１扉体９１及び第２扉体９２が閉鎖された状態で電動バルブ１２Ａを開放側へ作動させて、外部空間Ｓ１と第１連通室９の連通空間Ｓ４−１の圧力を均圧化させる。次に、第１扉体９１を開放して第１連通室９に人が入室した後、第１扉体９１を閉鎖する。第１扉体９１が閉鎖されると電動バルブ１２Ａは、自動的に閉鎖側へ作動する。次に、電動バルブ１２Ｂを開放側へ作動させて、第１連通室９の連通空間Ｓ４−１と第１調整室２１の気密空間Ｓ２−１の圧力を均圧化させる。次に、第２扉体９２を開放して第１調整室２１に人が入室した後、第２扉体９２を閉鎖する。第２扉体９２が閉鎖されると電動バルブ１２Ｂは、自動的に閉鎖側へ作動する。
【０１１０】
一方、第１調整室２１から外部空間Ｓ１への人の退室手順は、次の通りである。まず、第１扉体９１及び第２扉体９２が閉鎖された状態で電動バルブ１２Ｋを開放側へ作動させて、第１連通室９の連通空間Ｓ４−１と第１調整室２１の気密空間Ｓ２−１の圧力を均圧化させる。次に、第２扉体９２を開放して第１調整室２１から人が退室して第１連通室９に入室した後、第２扉体９２を閉鎖する。第２扉体９２が閉鎖されると電動バルブ１２Ｋは、自動的に閉鎖側へ作動する。次に、電動バルブ１２Ｌを開放側へ作動させて、外部空間Ｓ１と第１連通室９の連通空間Ｓ４−１の圧力を均圧化させる。次に、第１扉体９１を開放して外部空間Ｓ１側へ人が移動した後、第１扉体９１を閉鎖する。第１扉体９１が閉鎖されると電動バルブ１２Ｌは、自動的に閉鎖側へ作動する。
【０１１１】
第３連通室１１は、第１調整室２１と第２調整室２２とを連通する連通空間Ｓ４−２を画定する第５壁部１１Ａに囲われた気密室である。第３連通室１１は、人が通行可能な大きさに形成され、第２調整室２２に対する人の入退室用の通路となる。第３連通室１１の第５壁部１１Ａには、気密空間Ｓ２−１に面して開口した第５開口部１１Ｂと、気密空間Ｓ２−２に面して開口した第６開口部１１Ｃとが形成されている。また、第３連通室１１は、第５開口部１１Ｂを開閉可能な第５扉体１１１と、第６開口部１１Ｃを開閉可能な第６扉体１１２とを有する。なお、第３連通室１１の第５壁部１１Ａにおいて、第５開口部１１Ｂの開口周縁部には第５扉体１１１との間のシール性を確保するための第５シール部材１１１１が取り付けられ、第６開口部１１Ｃの開口周縁部には第６扉体１１２との間のシール性を確保するための第６シール部材１１２１が取り付けられている。
【０１１２】
また、図７に示すように、第３連通室１１の第５壁部１１Ａには、第５扉体１１１の近傍において、気密空間Ｓ２−１側に突出して電動バルブ１２Ｃが取り付けられ、連通空間Ｓ４−２側に突出して電動バルブ１２Ｊが取り付けられている。これらの電動バルブ１２Ｃ、１２Ｊは、第１調整室２１の気密空間Ｓ２−１と第３連通室１１の連通空間Ｓ４−２の圧力を均圧化するときに作動させるバルブである。更に、第３連通室１１の第５壁部１１Ａには、第６扉体１１２の近傍において、連通空間Ｓ４−２側に突出して電動バルブ１２Ｄが取り付けられ、気密空間Ｓ２−２側に突出して電動バルブ１２Ｉが取り付けられている。これらの電動バルブ１２Ｄ、１２Ｉは、第３連通室１１の連通空間Ｓ４−２と第２調整室２２の気密空間Ｓ２−２の圧力を均圧化するときに作動させるバルブである。
【０１１３】
第１調整室２１から第２調整室２２への人の入室手順は、次の通りである。まず、第５扉体１１１及び第６扉体１１２が閉鎖された状態で電動バルブ１２Ｃを開放側へ作動させて、第１調整室２１の気密空間Ｓ２−１と第３連通室１１の連通空間Ｓ４−２の圧力を均圧化させる。次に、第５扉体１１１を開放して第３連通室１１に人が入室した後、第５扉体１１１を閉鎖する。第５扉体１１１が閉鎖されると電動バルブ１２Ｃは、自動的に閉鎖側へ作動する。次に、電動バルブ１２Ｄを開放側へ作動させて、第３連通室１１の連通空間Ｓ４−２と第２調整室２２の気密空間Ｓ２−２の圧力を均圧化させる。次に、第６扉体１１２を開放して第２調整室２２に人が入室した後、第６扉体１１２を閉鎖する。第６扉体１１２が閉鎖されると電動バルブ１２Ｄは、自動的に閉鎖側へ作動する。
【０１１４】
一方、第２調整室２２から第１調整室２１への人の退室手順は、次の通りである。まず、第５扉体１１１及び第６扉体１１２が閉鎖された状態で電動バルブ１２Ｉを開放側へ作動させて、第３連通室１１の連通空間Ｓ４−２と第２調整室２２の気密空間Ｓ２−２の圧力を均圧化させる。次に、第６扉体１１２を開放して第２調整室２２から人が退室して第３連通室１１に入室した後、第６扉体１１２を閉鎖する。第６扉体１１２が閉鎖されると電動バルブ１２Ｉは、自動的に閉鎖側へ作動する。次に、電動バルブ１２Ｊを開放側へ作動させて、第１調整室２１の気密空間Ｓ２−１と第３連通室１１の連通空間Ｓ４−２の圧力を均圧化させる。次に、第５扉体１１１を開放して第１調整室２１側へ人が移動した後、第５扉体１１１を閉鎖する。第５扉体１１１が閉鎖されると電動バルブ１２Ｊは、自動的に閉鎖側へ作動する。
【０１１５】
第２連通室１０は、第２調整室２２と圧力制御室３とを連通する連通空間Ｓ５を画定する第４壁部１０Ａに囲われた気密室である。第２連通室１０は、人が通行可能な大きさに形成され、圧力制御室３に対する人の入退室用の通路となる。第２連通室１０の第４壁部１０Ａには、第２調整室２２の気密空間Ｓ２−２に面して開口した第３開口部１０Ｂと、圧力制御室３の第２気密空間Ｓ３に面して開口した第４開口部１０Ｃとが形成されている。また、第２連通室１０は、第３開口部１０Ｂを開閉可能な第３扉体１０１と、第４開口部１０Ｃを開閉可能な第４扉体１０２とを有する。なお、第２連通室１０の第４壁部１０Ａにおいて、第３開口部１０Ｂの開口周縁部には第３扉体１０１との間のシール性を確保するための第３シール部材１０１１が取り付けられ、第４開口部１０Ｃの開口周縁部には第４扉体１０２との間のシール性を確保するための第４シール部材１０２１が取り付けられている。
【０１１６】
また、図７に示すように、第２連通室１０の第４壁部１０Ａには、第３扉体１０１の近傍において、気密空間Ｓ２−２側に突出して電動バルブ１２Ｅが取り付けられ、連通空間Ｓ５側に突出して電動バルブ１２Ｈが取り付けられている。これらの電動バルブ１２Ｅ、１２Ｈは、第２調整室２２の気密空間Ｓ２−２と第２連通室１０の連通空間Ｓ５の圧力を均圧化するときに作動させるバルブである。更に、第２連通室１０の第４壁部１０Ａには、第４扉体１０２の近傍において、連通空間Ｓ５側に突出して電動バルブ１２Ｆが取り付けられ、第２気密空間Ｓ３側に突出して電動バルブ１２Ｇが取り付けられている。これらの電動バルブ１２Ｆ、１２Ｇは、第２連通室１０の連通空間Ｓ５と圧力制御室３の第２気密空間Ｓ３の圧力を均圧化するときに作動させるバルブである。
【０１１７】
第２調整室２２から圧力制御室３への人の入室手順は、次の通りである。まず、第３扉体１０１及び第４扉体１０２が閉鎖された状態で電動バルブ１２Ｅを開放側へ作動させて、第２調整室２２の気密空間Ｓ２−２と第２連通室１０の連通空間Ｓ５の圧力を均圧化させる。次に、第３扉体１０１を開放して第２連通室１０に人が入室した後、第３扉体１０１を閉鎖する。第３扉体１０１が閉鎖されると電動バルブ１２Ｅは、自動的に閉鎖側へ作動する。次に、電動バルブ１２Ｆを開放側へ作動させて、第２連通室１０の連通空間Ｓ５と圧力制御室３の第２気密空間Ｓ３の圧力を均圧化させる。次に、第４扉体１０２を開放して圧力制御室３に人が入室した後、第４扉体１０２を閉鎖する。第４扉体１０２が閉鎖されると電動バルブ１２Ｆは、自動的に閉鎖側へ作動する。
【０１１８】
一方、圧力制御室３から第２調整室２２への人の退室手順は、次の通りである。まず、第３扉体１０１及び第４扉体１０２が閉鎖された状態で電動バルブ１２Ｇを開放側へ作動させて、第２連通室１０の連通空間Ｓ５と圧力制御室３の第２気密空間Ｓ３の圧力を均圧化させる。次に、第４扉体１０２を開放して圧力制御室３から人が退室して第２連通室１０に入室した後、第４扉体１０２を閉鎖する。第４扉体１０２が閉鎖されると電動バルブ１２Ｇは、自動的に閉鎖側へ作動する。次に、電動バルブ１２Ｈを開放側へ作動させて、第２調整室２２の気密空間Ｓ２−２と第２連通室１０の連通空間Ｓ５の圧力を均圧化させる。次に、第３扉体１０１を開放して第２調整室２２側へ人が移動した後、第３扉体１０１を閉鎖する。第３扉体１０１が閉鎖されると電動バルブ１２Ｈは、自動的に閉鎖側へ作動する。
【０１１９】
次に、本実施形態における制御部１５について、説明する。制御部１５は、第１圧力計１３Ａ、第２圧力計１３Ｂ、第３圧力計１３Ｃ及び第４圧力計１３Ｄから入力される検出結果に基づいて、圧力制御室３の絶対圧力が、記憶部１６に記憶される目標設定圧力になるように、第１換気機構４、第２換気機構５及び第３換気機構６の各々を制御する。制御部１５は、図８に示すように、第１圧力制御部１５１と、第２圧力制御部１５２と、第３圧力制御部１５３とを含む。
【０１２０】
第１圧力制御部１５１は、第１圧力計１３Ａによる外気圧の検出結果と、第２圧力計１３Ｂによる第１調整室２１の絶対圧力の検出結果とを参照し、第１換気機構４を制御する。また、第２圧力制御部１５２は、第３圧力計１３Ｃによる圧力制御室３の絶対圧力の検出結果を参照し、第２換気機構５を制御する。また、第３圧力制御部１５３は、第４圧力計１３Ｄによる第２調整室２２の絶対圧力の検出結果を参照し、第３換気機構６を制御する。更に、本実施形態では、第１圧力制御部１５１、第２圧力制御部１５２及び第３圧力制御部１５３は、外部空間Ｓ１と第１調整室２１との間の圧力差と、第１調整室２１と第２調整室２２との間の圧力差と、第２調整室２２と圧力制御室３との間の圧力差とが、記憶部１６に記憶されるパネル構造体の限界圧力差以内となるように、第１換気機構４、第２換気機構５及び第３換気機構６の各々を制御する。
【０１２１】
制御部１５は、第１圧力制御部１５１が第１換気機構４を制御し、第２圧力制御部１５２が第２換気機構５を制御し、第３圧力制御部１５３が第３換気機構６を制御することにより、初期圧力制御と圧力保持制御とを実行する。
【０１２２】
第３実施形態に係る絶対圧力制御システム１Ｂにおける制御部１５の制御動作について、図９Ａ及び図９Ｂを参照して説明すると、次の通りである。図９Ａ及び図９Ｂは、外気圧の変動線Ｋ１、第１調整室２１における圧力制御特性線Ｋ２１、第２調整室２２における圧力制御特性線Ｋ２２及び圧力制御室３における圧力制御特性線Ｋ３を示すグラフである。図９Ａ及び図９Ｂに示すグラフにおいて、横軸は時刻を示し、縦軸は絶対圧力（ｈＰａ）を示す。なお、第３実施形態に係る絶対圧力制御システム１Ｂにおける制御部１５の制御動作のフローは、前述の第１実施形態に係る絶対圧力制御システム１と同様である。従って、以下では、絶対圧力制御システム１Ｂにおける制御部１５の制御動作について、図５に示すフローチャートをも参照して説明する。
【０１２３】
まず、ステップａ１では、絶対圧力制御システム１Ｂの管理者によって圧力制御室３の目標設定圧力ＰＳが設定される。この目標設定圧力ＰＳは、記憶部１６に記憶される。なお、記憶部１６には、第１調整室２１及び第２調整室２２を含む圧力調整室２と、圧力制御室３とを構成するパネル構造体の限界圧力差についても、記憶されている。
【０１２４】
ステップａ２の初期圧力制御工程では、制御部１５を構成する第１圧力制御部１５１、第２圧力制御部１５２及び第３圧力制御部１５３は、初期圧力制御を実行する。ステップａ２の初期圧力制御工程は、ステップａ２１の第１初期圧力制御工程と、ステップａ２２の第２初期圧力制御工程とを含む。
【０１２５】
ステップａ２１の第１初期圧力制御工程では、制御部１５を構成する第１圧力制御部１５１、第２圧力制御部１５２及び第３圧力制御部１５３は、第１調整室２１、第２調整室２２及び圧力制御室３の絶対圧力を外気圧と目標設定圧力ＰＳとの間の第１調整圧力とした後、第２調整室２２及び圧力制御室３の絶対圧力を第１調整圧力と目標設定圧力ＰＳとの間の第２調整圧力とする第１初期圧力制御を実行する。ここで、第１調整圧力は、例えば、下記式（２）に基づき算出された値であり、第２調整圧力は、例えば、下記式（３）に基づき算出された値である。
【０１２６】
第１調整圧力（ｈＰａ）＝Ｐｓ＋ΔＰ×Ｃ１            ・・・（２）
［式（２）中、「Ｐｓ」は外気圧及び目標設定圧力のうちの低い方の圧力値を示し、「ΔＰ」は外気圧と目標設定圧力との差圧の絶対値を示し、「Ｃ１」は係数を示す。「Ｃ１」は、外気圧が目標設定圧力よりも高い場合には「２／３」であり、外気圧が目標設定圧力よりも低い場合には「１／３」である。］
【０１２７】
第２調整圧力（ｈＰａ）＝Ｐｓ＋ΔＰ×Ｃ２            ・・・（３）
［式（３）中、「Ｐｓ」は外気圧及び目標設定圧力のうちの低い方の圧力値を示し、「ΔＰ」は外気圧と目標設定圧力との差圧の絶対値を示し、「Ｃ２」は係数を示す。「Ｃ２」は、外気圧が目標設定圧力よりも高い場合には「１／３」であり、外気圧が目標設定圧力よりも低い場合には「２／３」である。］
【０１２８】
ステップａ２２の第２初期圧力制御工程では、制御部１５を構成する第１圧力制御部１５１、第２圧力制御部１５２及び第３圧力制御部１５３は、第１調整室２１の絶対圧力を前記第１調整圧力に維持し、第２調整室２２の絶対圧力を前記第２調整圧力に維持しつつ、圧力制御室３の絶対圧力を目標設定圧力ＰＳへと移行させる第２初期圧力制御を実行する。
【０１２９】
ステップａ２の初期圧力制御工程において制御部１５により実行される初期圧力制御について、より詳しく説明すると、以下の通りである。
【０１３０】
［外気圧が目標設定圧力よりも高い場合の初期圧力制御］
制御部１５により実行される初期圧力制御について、外気圧が目標設定圧力ＰＳよりも高い場合の制御を、図９Ａを参照して説明する。外気圧Ｐ０１が圧力制御室３の目標設定圧力ＰＳよりも高い場合、ステップａ２１の第１初期圧力制御工程において、第１圧力制御部１５１は、第１換気機構４を制御するための指令信号として、第２インバータ４２１に第１排気機４２２の出力を調整する指令信号を送信しつつ、第１排気用モータダンパ４２３に外気圧Ｐ０１に応じた開度とする指令信号を送信し、且つ、第１インバータ４１１に第１送風機４１２の出力を調整する指令信号を送信しつつ、第１送風用モータダンパ４１３に開度を１０％以下とする指令信号を送信する。
【０１３１】
また、第２圧力制御部１５２は、第２換気機構５を制御するための指令信号として、第４インバータ５２１に第２排気機５２２の出力を調整する指令信号を送信しつつ、第２排気用モータダンパ５２３に開度を１００％とする指令信号を送信し、且つ、第３インバータ５１１に第２送風機５１２の出力を調整する指令信号を送信しつつ、第２送風用モータダンパ５１３に開度を１０％以下とする指令信号を送信する。また、第３圧力制御部１５３は、第３換気機構６を制御するための指令信号として、第６インバータ６２１に第３排気機６２２の出力を調整する指令信号を送信しつつ、第３排気用モータダンパ６２３に開度を１００％とする指令信号を送信し、且つ、第５インバータ６１１に第３送風機６１２の出力を調整する指令信号を送信しつつ、第３送風用モータダンパ６１３に開度を１０％以下とする指令信号を送信する。このような第１圧力制御部１５１、第２圧力制御部１５２及び第３圧力制御部１５３の制御動作によって、図９Ａの時刻Ｔ０１の時点において、第１調整室２１、第２調整室２２及び圧力制御室３の絶対圧力は、外気圧Ｐ０１と目標設定圧力ＰＳとの間の第１調整圧力Ｐ１１となる。
【０１３２】
更に、ステップａ２１の第１初期圧力制御工程において、第１圧力制御部１５１は、第１換気機構４を制御するための指令信号として、第２インバータ４２１に第１排気機４２２の出力を調整する指令信号を送信しつつ、第１排気用モータダンパ４２３に第１調整室２１を第１調整圧力に維持可能な開度とする指令信号を送信し、且つ、第１インバータ４１１に第１送風機４１２の出力を調整する指令信号を送信しつつ、第１送風用モータダンパ４１３に開度を１０％以下とする指令信号を送信する。また、第３圧力制御部１５３は、第３換気機構６を制御するための指令信号として、第６インバータ６２１に第３排気機６２２の出力を調整する指令信号を送信しつつ、第３排気用モータダンパ６２３に第２調整室２２を第２調整圧力へ移行可能な開度とする指令信号を送信し、且つ、第５インバータ６１１に第３送風機６１２の出力を調整する指令信号を送信しつつ、第３送風用モータダンパ６１３に開度を１０％以下とする指令信号を送信する。
【０１３３】
また、第２圧力制御部１５２は、第２換気機構５を制御するための指令信号として、第４インバータ５２１に第２排気機５２２の出力を調整する指令信号を送信しつつ、第２排気用モータダンパ５２３に開度を１００％とする指令信号を送信し、且つ、第３インバータ５１１に第２送風機５１２の出力を調整する指令信号を送信しつつ、第２送風用モータダンパ５１３に開度を１０％以下とする指令信号を送信する。このような第１圧力制御部１５１、第２圧力制御部１５２及び第３圧力制御部１５３の制御動作によって、図９Ａの時刻Ｔ１１の時点において、第１調整室２１の絶対圧力が外気圧と目標設定圧力ＰＳとの間の第１調整圧力に維持されつつ、第２調整室２２及び圧力制御室３の絶対圧力は、第１調整圧力Ｐ１１と目標設定圧力ＰＳとの間の第２調整圧力Ｐ２１となる。
【０１３４】
次に、ステップａ２２の第２初期圧力制御工程において、第１圧力制御部１５１は、第１換気機構４を制御するための指令信号として、第２インバータ４２１に第１排気機４２２の出力を調整する指令信号を送信しつつ、第１排気用モータダンパ４２３に第１調整室２１を第１調整圧力に維持可能な開度とする指令信号を送信し、且つ、第１インバータ４１１に第１送風機４１２の出力を調整する指令信号を送信しつつ、第１送風用モータダンパ４１３に開度を１０％以下とする指令信号を送信する。また、第３圧力制御部１５３は、第３換気機構６を制御するための指令信号として、第６インバータ６２１に第３排気機６２２の出力を調整する指令信号を送信しつつ、第３排気用モータダンパ６２３に第２調整室２２を第２調整圧力に維持可能な開度とする指令信号を送信し、且つ、第５インバータ６１１に第３送風機６１２の出力を調整する指令信号を送信しつつ、第３送風用モータダンパ６１３に開度を１０％以下とする指令信号を送信する。
【０１３５】
また、第２圧力制御部１５２は、第２換気機構５を制御するための指令信号として、第４インバータ５２１に第２排気機５２２の出力を調整する指令信号を送信しつつ、第２排気用モータダンパ５２３に圧力制御室３を目標設定圧力ＰＳへ移行可能な開度とする指令信号を送信し、且つ、第３インバータ５１１に第２送風機５１２の出力を調整する指令信号を送信しつつ、第２送風用モータダンパ５１３に開度を１０％以下とする指令信号を送信する。このような第１圧力制御部１５１、第２圧力制御部１５２及び第３圧力制御部１５３の制御動作によって、図９Ａの時刻Ｔ２１の時点において、第１調整室２１の絶対圧力が外気圧と目標設定圧力ＰＳとの間の第１調整圧力に維持され、第２調整室２２の絶対圧力が第１調整圧力と目標設定圧力ＰＳとの間の第２調整圧力に維持されつつ、圧力制御室３の絶対圧力が目標設定圧力ＰＳとされる。図９Ａの例において、時刻Ｔ０１より前の初期圧力制御が開始された時刻から時刻Ｔ０１までの時間帯と時刻Ｔ０１から時刻Ｔ２１までの時間帯ＴＷ１が、制御部１５を構成する第１圧力制御部１５１、第２圧力制御部１５２及び第３圧力制御部１５３により初期圧力制御が実行される時間帯となる。
【０１３６】
［外気圧が目標設定圧力よりも低い場合の初期圧力制御］
制御部１５により実行される初期圧力制御について、外気圧が目標設定圧力ＰＳよりも低い場合の制御を、図９Ｂを参照して説明する。外気圧Ｐ０２が圧力制御室３の目標設定圧力ＰＳよりも低い場合、ステップａ２１の第１初期圧力制御工程において、第１圧力制御部１５１は、第１換気機構４を制御するための指令信号として、第１インバータ４１１に第１送風機４１２の出力を調整する指令信号を送信しつつ、第１送風用モータダンパ４１３に外気圧Ｐ０２に応じた開度とする指令信号を送信し、且つ、第２インバータ４２１に第１排気機４２２の出力を調整する指令信号を送信しつつ、第１排気用モータダンパ４２３に開度を１０％以下とする指令信号を送信する。
【０１３７】
また、第２圧力制御部１５２は、第２換気機構５を制御するための指令信号として、第３インバータ５１１に第２送風機５１２の出力を調整する指令信号を送信しつつ、第２送風用モータダンパ５１３に開度を１００％とする指令信号を送信し、且つ、第４インバータ５２１に第２排気機５２２の出力を調整する指令信号を送信しつつ、第２排気用モータダンパ５２３に開度を１０％以下とする指令信号を送信する。また、第３圧力制御部１５３は、第３換気機構６を制御するための指令信号として、第５インバータ６１１に第３送風機６１２の出力を調整する指令信号を送信しつつ、第３送風用モータダンパ６１３に開度を１００％とする指令信号を送信し、且つ、第６インバータ６２１に第３排気機６２２の出力を調整する指令信号を送信しつつ、第３排気用モータダンパ６２３に開度を１０％以下とする指令信号を送信する。このような第１圧力制御部１５１、第２圧力制御部１５２及び第３圧力制御部１５３の制御動作によって、図９Ｂの時刻Ｔ０２の時点において、第１調整室２１、第２調整室２２及び圧力制御室３の絶対圧力は、外気圧Ｐ０２と目標設定圧力ＰＳとの間の第１調整圧力Ｐ１２となる。
【０１３８】
更に、ステップａ２１の第１初期圧力制御工程において、第１圧力制御部１５１は、第１換気機構４を制御するための指令信号として、第１インバータ４１１に第１送風機４１２の出力を調整する指令信号を送信しつつ、第１送風用モータダンパ４１３に第１調整室２１を第１調整圧力に維持可能な開度とする指令信号を送信し、且つ、第２インバータ４２１に第１排気機４２２の出力を調整する指令信号を送信しつつ、第１排気用モータダンパ４２３に開度を１０％以下とする指令信号を送信する。また、第３圧力制御部１５３は、第３換気機構６を制御するための指令信号として、第５インバータ６１１に第３送風機６１２の出力を調整する指令信号を送信しつつ、第３送風用モータダンパ６１３に第２調整室２２を第２調整圧力へ移行可能な開度とする指令信号を送信し、且つ、第６インバータ６２１に第３排気機６２２の出力を調整する指令信号を送信しつつ、第３排気用モータダンパ６２３に開度を１０％以下とする指令信号を送信する。
【０１３９】
また、第２圧力制御部１５２は、第２換気機構５を制御するための指令信号として、第３インバータ５１１に第２送風機５１２の出力を調整する指令信号を送信しつつ、第２送風用モータダンパ５１３に開度を１００％とする指令信号を送信し、且つ、第４インバータ５２１に第２排気機５２２の出力を調整する指令信号を送信しつつ、第２排気用モータダンパ５２３に開度を１０％以下とする指令信号を送信する。このような第１圧力制御部１５１、第２圧力制御部１５２及び第３圧力制御部１５３の制御動作によって、図９Ｂの時刻Ｔ１２の時点において、第１調整室２１の絶対圧力が外気圧と目標設定圧力ＰＳとの間の第１調整圧力に維持されつつ、第２調整室２２及び圧力制御室３の絶対圧力は、第１調整圧力と目標設定圧力ＰＳとの間の第２調整圧力Ｐ２２となる。
【０１４０】
次に、ステップａ２２の第２初期圧力制御工程において、第１圧力制御部１５１は、第１換気機構４を制御するための指令信号として、第１インバータ４１１に第１送風機４１２の出力を調整する指令信号を送信しつつ、第１送風用モータダンパ４１３に第１調整室２１を第１調整圧力に維持可能な開度とする指令信号を送信し、且つ、第２インバータ４２１に第１排気機４２２の出力を調整する指令信号を送信しつつ、第１排気用モータダンパ４２３に開度を１０％以下とする指令信号を送信する。また、第３圧力制御部１５３は、第３換気機構６を制御するための指令信号として、第５インバータ６１１に第３送風機６１２の出力を調整する指令信号を送信しつつ、第３送風用モータダンパ６１３に第２調整室２２を第２調整圧力に維持可能な開度とする指令信号を送信し、且つ、第６インバータ６２１に第３排気機６２２の出力を調整する指令信号を送信しつつ、第３排気用モータダンパ６２３に開度を１０％以下とする指令信号を送信する。
【０１４１】
また、第２圧力制御部１５２は、第２換気機構５を制御するための指令信号として、第３インバータ５１１に第２送風機５１２の出力を調整する指令信号を送信しつつ、第２送風用モータダンパ５１３に圧力制御室３を目標設定圧力ＰＳへ移行可能な開度とする指令信号を送信し、且つ、第４インバータ５２１に第２排気機５２２の出力を調整する指令信号を送信しつつ、第２排気用モータダンパ５２３に開度を１０％以下とする指令信号を送信する。このような第１圧力制御部１５１、第２圧力制御部１５２及び第３圧力制御部１５３の制御動作によって、図９Ｂの時刻Ｔ２２の時点において、第１調整室２１の絶対圧力が外気圧と目標設定圧力ＰＳとの間の第１調整圧力に維持され、第２調整室２２の絶対圧力が第１調整圧力と目標設定圧力ＰＳとの間の第２調整圧力に維持されつつ、圧力制御室３の絶対圧力が目標設定圧力ＰＳとされる。図９Ｂの例において、時刻Ｔ０２より前の初期圧力制御が開始された時刻から時刻Ｔ０２までの時間帯と時刻Ｔ０２から時刻Ｔ２２までの時間帯ＴＷ１が、制御部１５を構成する第１圧力制御部１５１、第２圧力制御部１５２及び第３圧力制御部１５３により初期圧力制御が実行される時間帯となる。
【０１４２】
ステップａ２の初期圧力制御工程において圧力制御室３の絶対圧力が目標設定圧力ＰＳとされると、ステップａ３の圧力保持制御工程に進む。ステップａ３の圧力保持制御工程では、制御部１５を構成する第１圧力制御部１５１、第２圧力制御部１５２及び第３圧力制御部１５３は、圧力保持制御を実行する。ステップａ３の圧力保持制御工程は、ステップａ３１の第１圧力保持制御工程と、ステップａ３２の第２圧力保持制御工程とを含む。
【０１４３】
ステップａ３１の第１圧力保持制御工程では、制御部１５を構成する第１圧力制御部１５１は、第１調整室２１の絶対圧力を、外気圧の変動に応じて当該外気圧と目標設定圧力ＰＳとの間の第１圧力で推移させる第１圧力保持制御を実行する。更に、制御部１５を構成する第３圧力制御部１５３は、第２調整室２２の絶対圧力を、外気圧の変動に応じて前記第１圧力と目標設定圧力ＰＳとの間の第２圧力で推移させる第１圧力保持制御を実行する。ここで、第１圧力制御部１５１による第１圧力保持制御によって、第１調整室２１の絶対圧力は、外気圧の変動に応じて上記式（２）に基づき算出された圧力で推移する。また、第３圧力制御部１５３による第１圧力保持制御によって、第２調整室２２の絶対圧力は、外気圧の変動に応じて上記式（３）に基づき算出された圧力で推移する。
【０１４４】
ステップａ３２の第２圧力保持制御工程では、制御部１５を構成する第２圧力制御部１５２は、圧力制御室３の絶対圧力を、初期圧力制御において到達させた目標設定圧力ＰＳで一定に推移させる第２圧力保持制御を実行する。
【０１４５】
なお、図９Ａの例における時刻Ｔ２１以降の時間帯ＴＷ２、並びに、図９Ｂの例における時刻Ｔ２２以降の時間帯ＴＷ２が、制御部１５を構成する第１圧力制御部１５１、第２圧力制御部１５２及び第３圧力制御部１５３により圧力保持制御が実行される時間帯となる。
【０１４６】
ステップａ３の圧力保持制御工程において制御部１５により実行される圧力保持制御について、より詳しく説明すると、以下の通りである。
【０１４７】
［外気圧が目標設定圧力よりも高い場合の圧力保持制御］
変動する外気圧が目標設定圧力ＰＳよりも高い場合、ステップａ３１の第１圧力保持制御工程において、第１圧力制御部１５１は、第１換気機構４を制御するための指令信号として、第２インバータ４２１に第１排気機４２２の出力を調整する指令信号を送信しつつ、第１排気用モータダンパ４２３に外気圧の変動に応じた開度とする指令信号を送信し、且つ、第１インバータ４１１に第１送風機４１２の出力を調整する指令信号を送信しつつ、第１送風用モータダンパ４１３に開度を１０％以下とする指令信号を送信する。また、第３圧力制御部１５３は、第３換気機構６を制御するための指令信号として、第６インバータ６２１に第３排気機６２２の出力を調整する指令信号を送信しつつ、第３排気用モータダンパ６２３に外気圧の変動に応じた開度とする指令信号を送信し、且つ、第５インバータ６１１に第３送風機６１２の出力を調整する指令信号を送信しつつ、第３送風用モータダンパ６１３に開度を１０％以下とする指令信号を送信する。このような第１圧力制御部１５１及び第３圧力制御部１５３の制御動作によって、第１調整室２１の絶対圧力が外気圧の変動に応じて当該外気圧と目標設定圧力ＰＳとの間の第１圧力で推移し、第２調整室２２の絶対圧力が第１圧力と目標設定圧力ＰＳとの間の第２圧力で推移する。
【０１４８】
また、ステップａ３２の第２圧力保持制御工程において、第２圧力制御部１５２は、第２換気機構５を制御するための指令信号として、第４インバータ５２１に第２排気機５２２の出力を調整する指令信号を送信しつつ、第２排気用モータダンパ５２３に外気圧の変動に応じた開度とする指令信号を送信し、且つ、第３インバータ５１１に第２送風機５１２の出力を調整する指令信号を送信しつつ、第２送風用モータダンパ５１３に開度を１０％以下とする指令信号を送信する。このような第２圧力制御部１５２の制御動作によって、圧力制御室３の絶対圧力は、初期圧力制御において到達された目標設定圧力ＰＳで一定に推移する。
【０１４９】
［外気圧が目標設定圧力よりも低い場合の圧力保持制御］
変動する外気圧が目標設定圧力ＰＳよりも低い場合、ステップａ３１の第１圧力保持制御工程において、第１圧力制御部１５１は、第１換気機構４を制御するための指令信号として、第１インバータ４１１に第１送風機４１２の出力を調整する指令信号を送信しつつ、第１送風用モータダンパ４１３に外気圧の変動に応じた開度とする指令信号を送信し、且つ、第２インバータ４２１に第１排気機４２２の出力を調整する指令信号を送信しつつ、第１排気用モータダンパ４２３に開度を１０％以下とする指令信号を送信する。また、第３圧力制御部１５３は、第３換気機構６を制御するための指令信号として、第５インバータ６１１に第３送風機６１２の出力を調整する指令信号を送信しつつ、第３送風用モータダンパ６１３に外気圧の変動に応じた開度とする指令信号を送信し、且つ、第６インバータ６２１に第３排気機６２２の出力を調整する指令信号を送信しつつ、第３排気用モータダンパ６２３に開度を１０％以下とする指令信号を送信する。このような第１圧力制御部１５１及び第３圧力制御部１５３の制御動作によって、第１調整室２１の絶対圧力が外気圧の変動に応じて当該外気圧と目標設定圧力ＰＳとの間の第１圧力で推移し、第２調整室２２の絶対圧力が第１圧力と目標設定圧力ＰＳとの間の第２圧力で推移する。
【０１５０】
また、ステップａ３２の第２圧力保持制御工程において、第２圧力制御部１５２は、第２換気機構５を制御するための指令信号として、第３インバータ５１１に第２送風機５１２の出力を調整する指令信号を送信しつつ、第２送風用モータダンパ５１３に外気圧の変動に応じた開度とする指令信号を送信し、且つ、第４インバータ５２１に第２排気機５２２の出力を調整する指令信号を送信しつつ、第２排気用モータダンパ５２３に開度を１０％以下とする指令信号を送信する。このような第２圧力制御部１５２の制御動作によって、圧力制御室３の絶対圧力は、初期圧力制御において到達された目標設定圧力ＰＳで一定に推移する。
【０１５１】
以上のように構成される本実施形態に係る絶対圧力制御システム１Ｂでは、制御部１５を構成する第１圧力制御部１５１、第２圧力制御部１５２及び第３圧力制御部１５３は、第１初期圧力制御において、第１調整室２１、第２調整室２２及び圧力制御室３の絶対圧力を外気圧と目標設定圧力ＰＳとの間の第１調整圧力とした後、第２調整室２２及び圧力制御室３の絶対圧力を第１調整圧力と目標設定圧力ＰＳとの間の第２調整圧力とする制御を行う。また、制御部１５を構成する第１圧力制御部１５１、第２圧力制御部１５２及び第３圧力制御部１５３は、第１圧力保持制御において、第１調整室２１の絶対圧力を外気圧の変動に応じて当該外気圧と目標設定圧力ＰＳとの間の第１圧力で推移させるとともに、第２調整室２２の絶対圧力を外気圧の変動に応じて第１圧力と目標設定圧力ＰＳとの間の第２圧力で推移させる制御を行う。これにより、圧力制御室３の目標設定圧力と外気圧との圧力差の許容範囲を、外周壁２Ａ１を挟んだ両側の外部空間Ｓ１と第１調整室２１との間の圧力差と、内周壁２Ａ２を挟んだ両側の第１調整室２１と第２調整室２２との間の圧力差と、圧力制御室３の第２壁部３Ａを挟んだ両側の第２調整室２２と圧力制御室３との間の圧力差との合計値にまで拡張することができる。従って、圧力制御室３の目標設定圧力と外気圧との圧力差の許容範囲を広げることができ、外気圧がより大きく変動した場合であっても、圧力制御室３の絶対圧力を一定の目標設定圧力に保持することが可能となる。
【０１５２】
以上、本発明の実施形態について説明したが、本発明はこれに限定されるものではなく、種々の変形実施形態を採ることができる。例えば、第３実施形態に係る絶対圧力制御システム１Ｂでは、圧力制御室３を取り囲む圧力調整室２が、第１調整室２１とその内側に配置された第２調整室２２との２つの調整室からなる多重構造である例を示した。多重構造の圧力調整室２を構成する調整室の数は、２つに限定されるものではなく、３つ以上であってもよい。この場合、調整室の数に応じて各調整室間の換気を行う換気機構を備えるようにすればよい。なお、各室は、人が収容可能な大きさでなくてもよく、人が入退室するものでなくてよい。この場合、各室間を連通する連通室に設けられる開口部及び扉体は、物品の搬入及び搬出用の開口部及び扉体となる。
【０１５３】
また、上記の実施形態では、第１圧力差保持機構７，７Ａ、第２圧力差保持機構８、及び第３圧力差保持機構７Ｂが、機械式の逆流防止ダンパを含む構成について説明したが、これらの圧力差保持機構は機械式のものでなくてもよい。
【符号の説明】
【０１５４】
１，１Ａ，１Ｂ  絶対圧力制御システム
２  圧力調整室
２１  第１調整室
２２  第２調整室
２Ａ  第１壁部
２Ａ１  外周壁
２Ａ２  内周壁
３  圧力制御室
３Ａ  第２壁部
４  第１換気機構
５  第２換気機構
６  第３換気機構
７，７Ａ  第１圧力差保持機構
７Ｂ  第３圧力差保持機構
８  第２圧力差保持機構
１４  空調機
１５  制御部
１５１  第１圧力制御部
１５２  第２圧力制御部
１５３  第３圧力制御部
【図１】
2018128184.tif 000003
【図２】
2018128184.tif 000004
【図３】
2018128184.tif 000005
【図４Ａ】
2018128184.tif 000006
【図４Ｂ】
2018128184.tif 000007
【図５】
2018128184.tif 000008
【図６】
2018128184.tif 000009
【図７】
2018128184.tif 000010
【図８】
2018128184.tif 000011
【図９Ａ】
2018128184.tif 000012
【図９Ｂ】
2018128184.tif 000013